(57)【要約】  サービスプラットフォームでの取引において、エージェントの意向と引き換えに、エージェントを代償するためのシステム（単数又は複数）及び方法（単数又は複数）が提供される。代償はオンライン／オフラインドメインにおいて作用され得、意向はオンライン又はオフラインで伝達され得る。代償は広告費を介し資金供給され、広告インプレッションは代償の送信を容易にする。エージェントを代償するサービスプラットフォームが、オンライン又はオフラインで収集され得る明示的／暗黙的な表現を介し意向を抽出する。オフライン表現は、装着可能な印を介し送信され得る。代償は、エージェントによって作動される機器へオフライン又はオンラインで無線送信され得る。エージェント及びエージェント機器（単数又は複数）の登録が、エージェントに対しカスタマイズされた適応的な代償と、エージェント機器に対し最適化した形式及びコンテンツを有する広告（単数又は複数）を送信するサービスプラットフォームと、を提供する。エージェントの商取引をさせるために、オフライン位置サービス及びオンライン位置情報が、エージェントの意向及び位置に関する一部に基づいて広告及び関連する代償の送信を容易にする。【選択図】  図１Ａ
2011517819.tif 000002
【特許請求の範囲】
【請求項１】
サービスプラットフォーム（１２０）との取引において、エージェントの意向（１１５）と引き換えに、前記エージェント（１１０）を代償するシステム（１００）であって、
エージェント（１１０）と、前記エージェント（１１０）によって作動される一連の機器（１１２）と、を登録するコンポーネント（１２５）と、
前記登録されたエージェント（１１０）に関連し受信した情報から意向を抽出するコンポーネント（１３５）と、オフラインドメイン又はオンラインドメイン（６０５）のうち少なくとも１つにおいて受信される情報と、
前記エージェントの抽出された意向（１１５）の返礼として広告費（１８５）を介し前記エージェントを代償するコンポーネント（１６５）と、を含むシステム。
【請求項２】
更に、登録されたエージェントに関する情報を保持するストレージコンポーネントを含む請求項１記載のシステム。
【請求項３】
更に、代償に対し広告費用を配分する広告費管理コンポーネントを含む請求項２記載のシステム。
【請求項４】
更に、前記抽出された意向に関連し、代償を運ぶ広告を表示する広告管理コンポーネントを含む請求項２記載のシステム。
【請求項５】
前記広告が、オフラインドメイン又はオンラインドメインのうち少なくとも１つに表示されることを特徴とする請求項４記載のシステム。
【請求項６】
前記代償が、前記広告を介し誘発されるエージェントの動作を介し送信されることを特徴とする請求項４記載のシステム。
【請求項７】
前記広告管理コンポーネントが、
広告コンテンツを保持する広告コンテンツストアと、
前記登録されたエージェントに関しストアされている前記情報に従って広告コンテンツを最適化するコンポーネントと、
前記登録された一連の機器のうち少なくとも１つの機器に従って広告形式を最適化するコンポーネントと、
最適化された広告に対する登録されたエージェントの反応を解析するコンポーネントと、を含むことを特徴とする請求項４記載のシステム。
【請求項８】
前記意向を抽出するコンポーネントが更に、
一連の暗黙的な表現又は一連の明示的な表現のうち少なくとも１つを集める情報収集コンポーネントと、
前記収集された表現をエージェントのプライバシープロファイルに従って検査するプライバシーコンポーネントと、
前記検査された表現を処理し、意向を推論する解析コンポーネントと、を含むことを特徴とする請求項１記載のシステム。
【請求項９】
前記一連の暗黙的な表現が、視覚的な表現及び聴覚的な表現を含んでいて、前記一連の明示的な表現が、装着可能な印を含むことを特徴とする請求項８記載のシステム。
【請求項１０】
前記登録されたエージェントを代償する前記コンポーネントが、
登録されたエージェントに授与される代償を計算するコンポーネントと、
不正代償を軽減する不正防止コンポーネントと、
代償記録を保持するコンポーネントと、を含むことを特徴とする請求項１記載のシステム。
【請求項１１】
サービスプラットフォームとの取引において、エージェントの意向と引き換えに、遍在する前記エージェントの意向を基本とした代償をするための方法（８００）であって、前記方法が、
エージェントを登録するステップ（８１０）と、
一連のオフライン表現又は一連のオンライン表現のうち少なくとも１つを介し前記登録されたエージェントの営利的意向を抽出するステップ（８３０）と、
前記抽出された営利的意向の正当性を評価するステップ（８４０）と、
前記エージェントの正当な営利的意向と引き換えに、前記登録されたエージェントを代償するステップ（８６０）と、を含むことを特徴とする方法。
【請求項１２】
更に、前記登録されたエージェントの代償記録をストアするステップを含む請求項１１記載の方法。
【請求項１３】
更に、前記エージェントによって作動される一連の機器を登録するステップを含む請求項１１記載の方法。
【請求項１４】
更に、前記登録プロセスを介しエージェント情報をストアするステップを含む請求項１３記載の方法。
【請求項１５】
前記エージェントの正当な営利的意向と引き換えに、前記登録されたエージェントを代償するステップが更に、
前記エージェントの営利的意向の少なくとも一部に基づいて代償を運ぶ広告を伝達するステップと、
前記広告に反応し、エージェント動作を決定するステップと、
前記エージェント動作が適格な動作であることを、前記広告コンテンツの少なくとも一部に基づいて決定するステップと、
直接対価又は報奨トークンのうち少なくとも１つを介し、前記エージェントを代償するステップと、含む請求項１３記載の方法。
【請求項１６】
前記エージェントの営利的意向の少なくとも一部に基づいて、代償を運ぶ広告を伝達するステップが更に、
前記広告を表示するための対価を受信するステップと、
エージェントの営利的意向の少なくとも一部に基づいてエージェントを代償するために前記対価の一部を配分するステップと、
前記エージェントの営利的意向に関連する広告を送信するステップと、を含む請求項１５記載の方法。
【請求項１７】
更に、
広告コンテンツを受信するステップと、
前記広告コンテンツをストアするステップと、
前記エージェントによって作動される前記登録された一連の機器に対し、前記広告コンテンツを最適化するステップと、
前記エージェントによって作動される前記一連の機器に対する広告形式を最適化するステップと、を含む請求項１６記載の方法。
【請求項１８】
更に、
前記エージェントの位置を決定するステップと、
前記エージェントの位置の少なくとも一部に基づいて代償を運ぶ広告を伝達するステップと、を含む請求項１３記載の方法。
【請求項１９】
前記エージェントの位置が、オフライン位置又はオンライン位置のうち少なくとも１つであることを特徴とする請求項１８記載の方法。
【請求項２０】
意向を基本とした広告を介しエージェントの商取引をさせるための方法（１１００）であって、
エージェントの機器に対し最適化した、意向を基本とした代償に関連する広告を表示するステップ（１１１０）であって、前記広告が、オフラインドメイン又はオンラインドメインのうち少なくとも１つに表示されるものと、
前記最適化した広告に対するエージェントの反応を精査するステップ（１１２０）と、
前記広告に関連する前記代償を前記エージェントの反応に従って調整するステップ（１１５０）と、を含む方法。
【発明の詳細な説明】
【技術分野】
【０００１】
[0001]本明細書は、サービスプラットフォームでの取引において、顧客の意向と引き換えに、広告を介しオンライン又はオフラインドメインの顧客を代償するためのシステム及び方法に関し、前記意向はオンライン又はオフラインで伝達され得る。
【背景技術】
【０００２】
[0002]従来の顧客とサービスプロバイダーとの対話において、顧客又はエージェントは、そのプロバイダーがエージェントの需要を満足する要求にかなった関連するサービスを送信するという期待に基づいてサービス又は商品プロバイダーを選択する。加えて、利用可能な代替物の中で最も大きな価値を求めているエージェントでの費用対効果解析は、通常、選択処理に貢献する。一旦、サービスプロバイダーが商取引に参加するか又は製品が業者から購入されるかどちらか一方の選択が実行されるとエージェントは、サービスにアクセスするか又は製品を利用する際に意向を伝達する。提供された意向に応じたサービスプロバイダー又は製品の適切な選択は、通常、サービス又は製品の満足に導く。そのような商取引パラダイムにおいて、サービスプロバイダー及び業者は、典型的に、ブランドの認知、認識、及び忠誠、並びにサービス又は製品の差別化運動をすると同時に質が高いサービス及び製品の提供によって、エージェントの意向を得るために争っている。
【０００３】
[0003]顧客との取引を促進し、ブランドの認知及び忠誠、並びに製品差別化を開拓するためにサービスプロバイダーは、典型的に、「拘束する」取引と引き換えに、顧客を代償するための報奨又は割引システムに訴えていて、拘束する顧客とサービスとの対話の本質は、例えば、代償受信前の購入を介した基金供給を約束する顧客ニーズを反映している。典型的な割引システムが、エージェント中心というよりもむしろ製品中心であることを十分に理解されよう。結果として、従来のシステムは、通常、実質上、同一の代償を用いて、製品購入に対し、相違している背景、関心、及び理由を実質上、有する別の顧客に報奨を与えている。かくして、従来の報奨システムは、拘束力のある取引に参加している小さな顧客グループ内であっても、顧客の多様性の開拓に失敗している。
【０００４】
[0004]更に、サービス及び製品の可視化を増やすための「非拘束」の割引システムの情報が、サービスプロバイダー及び業者によって追求されていることも十分に理解されよう。しかし、従来の非拘束割引も製品中心であって、通常、非拘束の取引が関与するということを考慮しても価値が低くなりがちである。故に、割引システムに閉じ込められることに失望した顧客は、例えば、割引を要求せずに、割引などがない製品が消費されている。
【０００５】
[0005]加えると、前記システムが製品中心であるため、従来の拘束及び非拘束の報奨システムは、顧客（単数又は複数）又はエージェント（単数又は複数）に関する十分かつ詳細な情報が不足している。故に、従来の割引システムは、固定的又は準静的であって、すなわち、顧客の要望、関心、及び要求に適合しないか又は不十分な適合である。その上、従来のシステムは、典型的に、オンラインドメインにおいては排他的又はオフラインドメインにおいては排他的に作動し、ドメインは、割引が具体化される空間によって主に決定される。更に、従来の報奨システムは、携帯用電子機器に対し顧客の柔軟なアクセス及びそれらの相互運用性をわずかに開拓しているに過ぎない。
【発明の概要】
【発明が解決しようとする課題】
【０００６】
本発明の目的は、サービスプラットフォームでの取引において、オンライン又はオフラインで伝達され得るエージェントの意向と引き換えに、オンライン及びオフラインドメインのエージェントを代償するためのシステム及び方法を提供することである。
【課題を解決するための手段】
【０００７】
[0006]以下は、本請求対象の簡易化された概要を本請求対象の態様のいくつかの基本的な理解を提供するために提示している。この概要は、広範囲に及ぶ本請求対象項目の概要ではない。本請求対象の主要な要素又は重要な要素を特定することも本請求対象の範囲を詳細に説明することも意図されていない。唯一の目的は、本請求対象の概念のいくつかを、後で提示される、より詳細な説明に対する前置きとして簡易化した形式で提示することである。
【０００８】
[0007]対象の技術革新は、サービスプラットフォームでの取引において、エージェントの意向と引き換えに、オンライン及びオフラインドメインのエージェントを代償するためのシステム（単数又は複数）及び方法（単数又は複数）を提供するものであって、意向はオンライン又はオフラインで伝達され得る。代償は通常、内部又は外部にあり得る広告エンジンによってサービスプラットフォームに発生する広告費を介し資金供給される。加えると、広告インプレッションが代償の送信を容易にする。エージェントを代償するためのサービスプラットフォームが、オンライン又はオフラインで収集され得る明示的若しくは暗黙的な表現又は情報を介し、意図を抽出する。サービスプラットフォームによって使用されるカメラ及びセンサーが、暗黙的又は明示的な情報をオフラインで収集すると同時に、オンライン表現が、ウェブベースのコンテンツ（例えば、クエリー、電子メール、及びインスタントメッセージ、オンラインゲームプレイなど）を介し、より慣習的に決定される。収集された情報の解析が、様々な信用度でエージェントの意向を決定する。オフライン表現が、装着可能な印を介し送信され得る。
【０００９】
[0008]エージェントの意向に関する少なくとも一部に基づく代償が、エージェントによって作動される機器にオンライン又はオフラインで送信され得る。オフライン送信が通常、無線リンクを介し伝達される。エージェントの登録及び一連のエージェント機器の登録を介し、サービスプラットフォームが、エージェントに対し適応した、カスタマイズされた代償を送信し得、エージェント機器（単数又は複数）に対し最適化した、形式及びコンテンツを有する広告（単数又は複数）を表示し得る。
【００１０】
[0009]エージェントの商取引を促進するためのサービスプラットフォームは、（ｉ）全地球的航法衛星システムのようなオフラインの位置サービス、及びクッキーファイルのようなオンラインの位置情報を開拓し得、エージェントの意向及び位置双方に関する一部に基づく広告及び関連する代償を送信し、（ｉｉ）送信した広告及び代償に対するエージェントの反応の精査によって所望した反応に達するように形式及びコンテンツを調整する。
【００１１】
[0010]以下の記述及び添付した図面は、本請求対象の例示的な態様のいくつかを詳述している。これらの態様は、本請求対象の原理が使用され得る様々な方法のほんのいくつかを示しているが、本請求対象は、そのような態様及びそれらの同等物すべてを含むように意図されている。本請求対象の別の利点及び新規の特徴は、図面に関連して考慮されるとき、本請求対象の詳細な以下の説明から明らかになるだろう。
【図面の簡単な説明】
【００１２】
【図１】[0011]本明細書に開示した態様による、エージェントの意向と引き換えに、広告費を介しエージェントを代償するシステム例のブロック図を示している。
【図２Ａ】[0012]本明細書に開示した態様による、可能な実現を示す２つの実現要素（意向、代償）からなる実現象限図、並びに意向処理コンポーネント及びその機能性の例に関するブロック図である。
【図２Ｂ】[0012]本明細書に開示した態様による、可能な実現を示す２つの実現要素（意向、代償）からなる実現象限図、並びに意向処理コンポーネント及びその機能性の例に関するブロック図である。
【図３Ａ】[0013]本明細書に記載した態様による、意向処理の間、収集される情報範囲を規制するプライバシーコンポーネント及び収集した情報からの意向抽出を容易にする知的コンポーネントの例を示している。
【図３Ｂ】[0013]本明細書に記載した態様による、意向処理の間、収集される情報範囲を規制するプライバシーコンポーネント及び収集した情報からの意向抽出を容易にする知的コンポーネントの例を示している。
【図４】[0014]本明細書に記載した態様による、広告費管理及び広告送信を容易にする広告管理コンポーネントの例のブロック図である。
【図５】[0015]本明細書に開示した態様による、サービスプラットフォームとの取引参加において、エージェントの意向と引き換えに、広告費を使用しエージェントを代償するためのシステム例のブロック図を示している。
【図６】[0016]本明細書に記載した態様による、サービスプラットフォームとの取引参加において、顧客の意向と引き換えに、顧客を代償するためのシステム例を示している。
【図７】[0017]本明細書に記載した態様による、意向−代償奨励金スキームにおいて、位置を調整した代償を介し、顧客の消費を促進するためのシステム例を示している。
【図８】[0018]本明細書を詳細説明する態様による、エージェントの営利的意向と引き換えに、エージェントを代償するための方法の例の流れ図を提示している。
【図９】[0019]明細書に記載した態様による、サービスプラットフォームとの取引において、エージェントの意向と引き換えに、広告を介しエージェントを代償するための方法の例の流れ図を提示している。
【図１０】[0020]対象技術革新の態様による、エージェントに広告を伝達し、エージェントの意向の返礼として、エージェントの代償に基金提供するための方法の例の流れ図を提示している。
【図１１】[0021]本明細書に記載した態様による、広告を介し消費者行動を促進するための方法の例の流れ図を提示している。
【図１２】[0022]本明細書に記載した態様による、エージェントの意向及びエージェントの位置に関する少なくとも一部に基づいた広告をエージェントに順応して伝達するための方法の例の流れ図である。
【図１３】[0023]本明細書に記載した種々な態様を実行するための計算環境を例示している。
【図１４】[0023]本明細書に記載した種々な態様を実行するための計算環境を例示している。
【発明を実施するための形態】
【００１３】
[0024]ここで請求対象項目が図面を参照して説明されていて、同一の参照番号が始めから終わりまで全体を通し同様のエレメントを参照するために使用されている。以下の記述において説明のための多く特定の詳細が、本技術革新の対象の徹底した理解を提供するために詳述される。しかしながら、これらの特定の詳細がなくても請求対象項目を実践可能なことが明らかであろう。別の例において周知の構造及び機器が、請求対象項目の説明を容易にするためにブロック図形式で示されている。
【００１４】
[0025]更に、用語「又は」は排他的な「又は」というよりもむしろ包括的な「又は」を意味するように意図されている。すなわち、別のものを指定していないか又は文脈から明確でない場合、「ＸがＡ又はＢを使用する」は、自然な包括的な任意の順列を意味するように意図されている。すなわち、ＸがＡを使用する、ＸがＢを使用する、又はＸがＡとＢの双方を使用する場合、「ＸがＡ又はＢを使用する」は、上記例のどれかの下で満たされる。更に、本出願及び添付請求項において使用される冠詞「ａ」及び「ａｎ」は通常、別のものを指定していないか又は文脈から明確でない場合、単一形式を対象とする「１つ以上」を意味するように解釈されたい。
【００１５】
[0026]更に、用語「コンポーネント」、「システム」、「モジュール」、「インターフェース」、「プラットフォーム」などは通常、計算機に関連するエンティティ、ハードウェア、ハードウェア及びソフトウェアの組み合わせ、ソフトウェア、又は実行中のソフトウェアのどちらか一方を参照するように意図されている。例えば、コンポーネントは、プロセッサー上で実行中のプロセス、プロセッサー、オブジェクト、実行可能コンポーネント、実行スレッド、プログラム、及び／又は計算機であり得るがこれらに限定しない。例示として、コントローラー上で実行中のアプリケーション及びコントローラーの双方はコンポーネントであり得る。１つ以上のコンポーネントが、実行プロセス及び／又は実行スレッド内部に常駐し得、コンポーネントが、１つの計算機にローカライズされ得るか及び／又は２つ以上の計算機の間に分散され得る。
【００１６】
[0027]本明細書に使用される用語「エージェント」、「ユーザー」、「顧客」、「プレーヤー」、「関係者」などは通常、（例えば、計算機に実装されているゲームを再生し、参加し、又は使用するか、又はプレゼンテーション作成ソフトウェア、データ解析ソフトウェア、関連する企業取引オンライン投資、及びナビゲーションソフトウェアなどのようなユーティリティーソフトアプリケーションを利用する）ソフトウェアアプリケーションを利用し、計算機に関連する情報通信基盤、計算機に関連するシステム、電子機器、携帯用機器又は非携帯機器、又はその任意の組み合わせに対するアクセスを有する人の実体（例えば、単一の人間又は人の集団）を参照している。前述した用語は、本明細書以下に存在し得、しばしば互換性を持って使用され得る。
【００１７】
[0028]更に、用語「サービス」は、ツールバー又はウェブベースの電子メールエンジン若しくは検索エンジンなどを使用するようなソフトウェアの実行、（例えば、係属特許出願状態、提案提出、出入国処理、又は宅配便）情報のリトリーブ、商品の購入、（例えば、住宅ローン、家賃、奨学金、クレジットカード、自動車、電話、公共料金、延滞料）支払実行、オンライン授業の単位取得、オフラインプロバイダー（例えば、歯医者、医師、弁護士、美容師、修理工）との予約実行、又はオンライン又はオフラインの会議への登録、を参照し得る。このサービス一覧は非限定的な例示として提供されていて、当業者に知られている別のサービスが対象技術革新の範囲内にあることを十分に理解されたい。
【００１８】
[0029]用語「情報」は、（ｉ）情報は、人若しくはエンティティの履歴又はその行動を特徴付ける情報、製品又はサービスにかかわる営利活動及び非営利活動の記録、又はその組み合わせ、人又はエンティティの組み合わせを参照していて、（ｉｉ）情報は、結論の理由付け又は結論を引き出す機能、例えば、システム又はユーザーに関する既存情報に基づく現在又は将来のユーザーの行動又はシステム状態を推論する能力を参照している、という２つの意味を有している。特定の文脈又は動作を識別するか又は人の介入なしにシステム又はユーザーの特定行動状態の確率分布を生成する人工知能（ＡＩ）が使用され得る。人工知能は、例えば、決定木、ニューラルネットワーク、回帰解析、クラスター分析、遺伝アルゴリズム、及び強化学習システム又はユーザーが利用可能な一連のデータ（情報）に高度な数学のアルゴリズムを適用することに頼っている。
【００１９】
[0030]以下に詳述されるように、本明細書は、サービスプラットフォームとの取引において、エージェントの意向と引き換えに、エージェントを代償するシステム（単数又は複数）及び方法（単数又は複数）を開示している。代償がオンラインドメイン及びオフラインドメインにおいて作用され得、意向がオンライン又はオフラインで伝達され得る。代償が広告費を通して資金供給され得、広告インプレッションが代償の送信を容易にする。エージェントを代償するサービスプラットフォームが、オンライン又はオフラインで収集され得る明示的又は暗黙的な表現を介し、意向を抽出する。オフライン表現が、装着可能な印を介し送信され得る。代償が、エージェントによって作動される機器へオフライン又はオンラインで無線送信され得る。エージェント及びエージェント機器（単数又は複数）の登録が、エージェントに対しカスタマイズされた適合した代償、並びにエージェント機器に対し最適化した形式及びコンテンツを有する広告を送信するためのサービスプラットフォームを提供する。エージェントの商取引を促進するためのオフライン位置サービス及びオンライン位置情報が、エージェントの意向及び位置に関する一部に基づく広告及び関連する代償の送信を容易にする。
【００２０】
[0031]図１は、本明細書に開示した態様による、エージェントの意向と引き換えに、広告費を介し、エージェントを代償するシステム例を示している。システム例（１００）において、エージェント（１１０）は、伝達したエージェントの意向（１１５）に返礼する代償（１２５）を介し、エージェント（１１０）を代償するサービスプラットフォーム（１２０）へ営利的意向（１１５）を伝達する。意向（１１５）が、サービスプラットフォーム（１２０）へアクセスする基本的目的（例えば、商品購入、サービス又は製品の選択又は加入、ソフトウェアアプリケーション利用、専門的なアドバイス要求／アクセスなど）を明らかにし、それからサービス受信のための手がかりを構成しているという事実に、エージェントの意向（１１５）の営利的本質があることを十分に理解されよう。エージェント（１１０）は、サービスプラットフォーム（１２０）がエージェントの要求に関連しているという期待に基づいて、意向（１１５）を開示する。そのような代償をもたらすことによってサービスプラットフォーム（１２０）は、顧客、例えばユーザー奨励金に同意し、金銭的な差を生成し、競合相手からそれ自体を差別化し得る。そのような差別化は、ブランドの認知、サービス／製品の要求、早期導入者の参加、事業提携形成の見込など、異なる水準で発生し得る。
【００２１】
[0032]サービスプラットフォーム（１２０）は、特定の産業にも特定のサービスにも制限されない。加えると、産業界又はサービスは、（例えばインターネットを介する）オンラインで消費されるサービスにも（例えば、サービスへのアクセスが、インターネットへのアクセスに関する装置もない）オフラインで消費されるサービスにも、限定されない。サービスプラットフォームを介し取得されるサービス又は製品に関する望ましい特性は、主として、定期的に（例えば基本として毎日）アクセスされることである。サービスプラットフォーム（１２０）によって送信されるエージェントの意向（１１５）及び提供されるサービス又は商品は、典型的に相互依存している。オンラインサービスプラットフォーム。−態様において、サービスプラットフォーム（１２０）は、オンライン検索エンジンであり得、検索クエリーが、検索結果一覧の受信の際、エージェントの意向を具体化する。その上、顧客の意向（１１５）がプロバイダー又は特定の商品若しくはサービスの検索に関連付けられ得、複数のプロバイダーが（例えば、報奨／奨励金の提供によって）そのような意向に関する知識を求めて競合し得、顧客とサービス又は製品プロバイダーとの間で生じる商取引を容易にする好ましいフォーラム／見え方で顧客に提示される。別の態様において、サービスプラットフォーム（１２０）は、技術専門誌のオンラインポータルであり得、特定の記事の検索を求めているエージェントが、記事に対する引用（例えば意向（１１５））を提供し、出版者は、その記事をユーザーに提示又は送信することによって反応する。別の態様において、サービスプラットフォーム（１２０）はオンラインソフトウェアアプリケーションサービスであり得、エージェントに対しカスタマイズされたインターフェースが、特定のソフトウェアアプリケーション機能（例えば、給料支払名簿及び利益アプリケーション、ビジネス展開及びプログラム管理アプリケーション、シミュレーションアプリケーション、オンラインゲームアプリケーションなど）をサービス手数料として提供する。更に別の実施形態において、サービスプラットフォーム（１２０）はソーシャルネットワーキングウェブサイトであり得、サービスプラットフォームが、（ｉ）ウェブページの使用及び保守サービス（単数又は複数）を介した顧客の表現と（ｉｉ）別の顧客間の対話を容易にする。様々な付加的なオンラインサービスが想定され得ることを十分に理解されたい。
【００２２】
[0033]オフラインサービスプラットフォーム。−実質的に、オフラインで作動する任意の業者又はサービスプロバイダーは、本明細書に記載した意向−代償パラダイム、例えば、乗用車、オートバイディーラー、デパート、喫茶店、酒屋、書店など、を採用し得る。
【００２３】
[0034]エージェント（１１０）は、有線又は無線の（例えば、携帯電話、ラップトップコンピューター、テザーコンピューター、自動車用ナビゲーション機器、ゲーム端末、又は携帯情報端末）どちらか一方の対話形式か又はその他の方法でアクセスされ得、意向（１１５）を伝達する表示領域を有している様々な機器（１１２１〜１１２Ｎ）を利用し得る。少なくとも開示した情報に基づいて伝達されるエージェントの意向（１１５）は、少なくとも２つの大きなカテゴリー（ａ）明示的な意向の表現と、（ｂ）暗黙的な意向の表現と、に分類され得る。システム例（１００）において確立される意向−代償営利スキームで意向を伝達し参加するために、エージェントは、登録処理の間、エージェント情報を収集する登録コンポーネント（１２５）を介しシステムプラットフォーム（１２０）に登録する。更にエージェントは、一連の機器（１１２１〜１１２Ｎ）も登録する。機器（１１２１〜１１２Ｎ）の登録は、広告、代償の機会、意向−代償営利モデルに参加するサービスプラットフォーム（１２０）と提携する業者など、それと関連する代償及びカスタマイズ情報の送信を容易にする。サービスプラットフォーム（１２０）の意向−代償奨励金モデルの参加に関連するユーザーに対する利便性に加え、サービスプラットフォーム（１２０）の登録も便利であって、エージェント情報は、登録時に集められ得、例えば、標的とするマーケティングキャンペーンのためのサービスプラットフォーム（１２０）によって利用され得る。
【００２４】
[0035]サービスプラットフォーム（１２０）は、（例えば、ポータル、ポップアップウィンドウ、クエリー、ステートメント、発話、推論、外的証拠、履歴データ、機械学習システム、ウェブカメラ、電荷結合素子（ＣＣＤ）カメラ、マイクロフォン、特徴抽出システムのような）様々な装置又は機構を介し、エージェントの意向（１１５）を取得する意向処理コンポーネント（１３５）も含む。意向処理コンポーネント（１３５）は、エージェントの意向（１１５）の正確さを評価し得、それに関連する信用測定基準を生成し得る。そのような信用測定基準は、代償（１２５）の配分に関連する因数に分解され得る。従来のクーポン収集及び割引スキームと異なり、意向処理コンポーネント（１３５）は、（例えばインターネット又は無線通信を介し−例えば、検索エンジン及び携帯電話が本明細書に記載した様々な実施形態を使用するための適切なプラットフォーム例である）顧客の意向を動的に決定するか又は推論し、決定した意向を利用し、広告主及び代替的又は付加的にユーザー又はサービスプロバイダーへの実用性を最大化することに関連しサービスプラットフォーム（１２０）と提携した（示されていない）適切なサービスプロバイダーと、エージェントが交わることを容易にすることを十分に理解されたい。加えると、意向処理コンポーネント（１３５）は、従来、エージェント（例えばエージェント（１１０））によってしばしば無料提供される意向情報の懇願を介し、エージェント（１１０）に交渉力を提供している（懇願は無線、有線、又はハイブリッドの通信リンク（１１８）を介し発生し得る）。その結果、エージェントは、自らの意向情報それぞれの価値の利用を介し、購買力又は富を増大し得る。更に、フィルタリング処理が達成され得、そこでは動機を持たないサービスプロバイダー又は業者又は広告主それぞれは、エージェントに公開されず、その結果、スパムのような懇願を軽減している。意向処理コンポーネントに関する実施形態が後述される。
【００２５】
[0036]態様において、代償（１２５）が広告を介し提供され得、例えば、広告費（１８５）及び広告コンテンツ（１９５）が広告エンジン（１８０）によって生成される。システムプラットフォーム（１２０）は、（明示的な意向の表現を介し）知られているか又は（例えば暗黙的な表現から抽出される）確立される、エージェントの意向（１１５）を利用し顧客の意向と引き換えに、代償を運ぶ広告インプレッションを生成する広告管理コンポーネント（１４５）を含む。代償は、以下、複数方法の広告を介しアクセスされ得る。（１）広告の公開。このシナリオにおいて、広告インプレッションが直接代償形式でユーザーへ伝達され、そこでは広告が代償を送信するための「導管」である。（２）広告実体化。例えばオンライン又は電話調査に応答し、オンラインウェブページ又はオフラインショールームを訪問し、映画の予告編又は映画音楽の一部などを見るように、例えば、広告中の指示に従うことによる、広告インプレッションの実体化によって、代償が受信される。（３）広告駆動動作。代償は、特定のエージェントと広告主との間の商取引の結果である。意向−駆動の広告が、本質的な対象であって、その結果、広告主又はサービスプラットフォームとエージェントとの取引に参加する見込が実質的に高いことを十分に理解されよう。エージェントが行動を実行する見込は、提供される代償水準を介して偏ることがあって、すなわち、広告管理コンポーネント（１４５）は、意向（１１５）を伝達するエージェントに関連する、知られているか又は推論した予定の閾値を超える代償を提供する広告を提示し得る。態様において、代償にアクセスこのモードは、（１）又は（２）を補足し得る。
【００２６】
[0037]顧客の意向（例えば意向（１１５））と引き換えに、顧客（例えばエージェント（１１０））へ代償（例えば代償（１２５））を資金供給するために、サービスプラットフォーム（１２０））は、広告管理コンポーネント（１４５）を介し、広告費（１８５）から生じる資金（１５５）を供給するように代償コンポーネント（１６５）に指示し得る。代償に向けられる資金（１５５）の総額は、典型的に、（ａ）代償に向けられる広告費、（ｂ）広告に対する広告費、及び（ｃ）（例えば、１週間、１カ月、１週間などの）広告サイクルに渡ってサービスプラットフォーム（１２０）が広告エンジン（１８０）に対し広告するために授与されるクレジットに関しゼロ和シナリオを保証する金融モデル、に従って決定される。（ｃ）が、新製品又はサービスに焦点化されているか又は新しい広告技法、資源、及び媒体に基づいた新興成長市場における広告キャンペーンに対する補助金を提供することによる、広告エンジン（１８０）に対する「支出を増やす」資金として見なされ得ることを留意されよう。
【００２７】
[0038]一旦、代償送信のための広告モデルが、サービスプラットフォーム（１２０）によって受信された意向（１１５）の本来の明示的又は暗黙的な表現に関する少なくとも一部に基づいて選択されると、発信エージェント上で利用可能な情報及び一貫した動作などが顧客（例えばエージェント（１１０））によって実行され、代償コンポーネント（１６５）が代償（１２５）を送信する。そのために代償コンポーネント（１６５）が、計算、不正防止管理、及び代償に関連する記録保持を含む複数のタスクを実行する。態様において、代償コンポーネント（１６５）は、代償（１２５）の額面に対する変更を採用するように発行される代償を管理し得、特定期間中、製品のオンライン調査に反応するか又はストアのショールームをオフラインで訪問するような特定動作がエージェントによって実行された場合、例えば、宣伝料金、典型的に平均を超える値か又は通常、賞与額を代償（１２５）に授与する。別の態様において、代償コンポーネント（１６５）は、顧客の負担を軽減するか又は意向に関連する情報品質を向上する（例えば、暗黙的な表現よりもむしろ明示的な表現を介した意向が伝達される例を増加する）ために、サービスプラットフォーム（１２０）が利用可能なエージェント情報に従って、特定の代償を決定し得る。更に別の態様において、代償コンポーネント（１６５）は、サービスプラットフォーム（１２０）と提携され得る別のオンライン業者又はオフライン業者との協力関係を仲介し得る。
【００２８】
[0039]一連の登録携帯機器（例えば機器（１１２１〜１１２Ｎ））を介し、代償コンポーネント（１６５）が、オンライン又はオフラインのどちらか一方で代償を提供し得ることを十分に理解されよう。代償を受信可能な機器登録は、代償を運ぶ広告伝達時の機器の資源の最適化を容易にする。更に、エージェント（１１０）による適格な動作の実行時に利用される一連の機器が、代償タイプを促進し得る。例えば、エージェント（１１０）は、エージェント（１１０）がＺｕｎｅ（登録商標）のデジタルメディアプレーヤーにおいて音楽を聴いている間、オンラインサービスを利用し、ラップトップコンピューター（例えば機器（１１２１））において（サービスプラットフォーム（１２０）の可能な実施形態の）株取引をしていて、−エージェント（１１０）は、エージェントのラップトップコンピューター上で作動するウェブカメラによって集められた情報から収集され得、意向処理コンポーネント（１３５）へ伝達され得るＺｕｎｅ（登録商標）機器（例えば機器１１２Ｎ）の音楽を聴いている−特定の実例においては、エージェント（１１０）は、エンターテイメント会社から株を購入する。ユーザーに関する取引、利用可能な情報、及びユーザーがＺｕｎｅ（登録商標）機器を聴いている事実に基づいて、システムプラットフォームが、意向を株取引システムへ伝達する代償として、ユーザーの電子メール受信箱へ送信されるデジタルソング（及び場合によってはエージェントの携帯電話への通知）をもたらす。本明細書に前述した例示的シナリオは、従来のシステムに対し、本明細書に開示した意向−代償奨励金スキームの主要な利点を表す。代償は、単にユーザー情報又は適格な動作に対し確立されるというよりもむしろ文脈及び行動に基づいて相乗的にカスタマイズされ得る。
【００２９】
[0040]上記、例示したように代償（１９５）は、金銭価値を有している。金銭価値は（ｉ）直接的にもたらされ得、例えば資金が、エージェント（１１０）が有する（図１に示されていない）代償アカウントへ預金されるか、又は例えばエージェント（１１０）が抱えるクレジットカード（単数又は複数）の負債が特定額減らされ、−そのようなクレジットカード（単数又は複数）が、サービスプラットフォーム（１３０）又は提携の貸手（例えばサービスプロバイダー）によって発行又は管理され得、実質的に、サービスプラットフォーム（１２０）がより手頃に利用でき、債務削減が利便になることを十分に理解されたい。直接対価は、電子的であって、エージェント（１１０）によって登録されたデビットカード／クレジットカードへの直接通信（１１８）を介し作用される無線送信を介し、リアルタイムに達成され得る。エージェント（１１０）に代償（１２５）として授与される直接対価の大きさは、通常、登録期間、所得水準、教育水準、本業活動、レジャー活動、及び人口統計的な要因といった複数の変数に関する関数である。そのようなパラメーターに関する少なくとも一部に基づいて、代償コンポーネント（１６５）は、エージェント（１１０）に対し相当額の代償を決定し得る。エージェント（１１０）は、例えばオンライン対話において、ユーザーが代償の大きさ又はタイプを記載しているインスタントメッセージを受信し得るか、オフライン対話において、ユーザーがエージェントの携帯電話、ポケットベル、又はその他の任意の登録機器（例えば機器（１１２１〜１１２Ｎ））にショートメッセージサービス（ＳＭＳ）メッセージを受信し得るように、直接的奨励金が授与されていることを、エージェントの１つ以上の登録機器に通知され得ることを十分に理解されよう。
【００３０】
[0041]金銭価値も（ｉｉ）報奨ポイント、サービス特定ポイント、プラットフォーム特定ポイント、バーチャルマネー、又は例えば、マイクロソフト（登録商標）ポイント又は実質的にオンライン又はオフラインで請求するために使用され得る別の任意の額面金額ポイントように間接的にもたらされ得る。加えると、エージェント（１１０）は、異なるタイプ若しくは範囲の製品又は商品請求を容易にする一般ポイント（又は実質的に代償の具体化に関連する別の任意のトークン）を用いて代償され得る。一般ポイント又はその他のポイントは、すぐに無効になるか又は永続的であり得、（示されていない）第２のエージェントへ送信され得る。態様において、一般ポイントは、サービスプラットフォーム（１３０）によって動的に管理され得、販売促進価値を採用し特定の製品又はサービスキャンペーンを促進するか、又はポイントを持参している人（例えば代償されるエージェント（１１０）のようなエージェント）の機能のような範囲を変更することを十分に理解されたい。間接的金銭の代償の代替又は付加な形式が、楽曲、着信音、映画、画像、書籍、技術又はその他の雑誌記事、グリーティングカード、コンソールベースゲーム及びオンラインゲーム、シングルプレーヤーゲーム又はマルチプレーヤーゲーム、マイクロソフト（登録商標）Ｖｉｓｉｏ（登録商標）ステンシル又はカスタムフォントセットなどのアドオンソフトウェアアプリケーション、外国語辞書、ロールプレーゲームに関連する第２世界への地図、秘密の抜け道、及び答えなど、のようなデジタル商品を介し、もたらされ得る。
【００３１】
[0042]代償コンポーネント（１６５）の動作が、より詳細に後述される。
【００３２】
[0043]図２Ａは、２組（意向、代償）に関する実現象限図（２００）を示している。本明細書に開示した意向−代償奨励金モデルは、（灰色調で例示した）オンラインシナリオ及びオフラインシナリオを想定している。そのようなシナリオは２組（意向−代償）に関する実現−象限を介し提示され得、代償が伝達される「位置」を反映し代償が実現され得る。第１実現象限（２１０）は、オンラインで伝達される意向及び実現双方に対応している。そのようなシナリオは、典型的に、オンラインベースのサービスプラットフォーム（例えば、検索エンジン、株取引ウェブサイト、オンラインゲームウェブサイト）を利用するエージェント（例えばエージェント（１１０））を必要とする。エージェントは、オンラインサービス利用を介し意向を伝達していて、例えば、保険会社のウェブサイトの自動車保険に関する見積価格を要求するか、又は母国語から複数言語へ翻訳するためにテキストの一節を提出するように、意向が明示的であり得る。意向の受信に反応し、オンラインを基本とするサービスプラットフォームは、典型的にオンラインで請求されるデジタルコンテンツを含む代償（例えば代償（１２５））を顧客へ送信する。
【００３３】
[0044]第２実現象限（２２０）は、サービスプラットフォームによってオンラインで受信される意向に対応していて、意向がオンラインで受信され代償がオフラインで受信されるどちらか一方の状況において、ウェブベースサービスか又はオフラインサービスであり得る。実現象限（２２０）の例示は、オンラインポータルを含んでいて、宿泊設備のアップグレード、座席選択、又は車の選択、を含む代償を用いたホテル、飛行機、レンタカーのオンライン予約、オフラインイベントチケットのオンライン購買、カタログ中のオフラインでピックアップする書籍のオンライン予約のようなオフラインサービス予約を手配する。上記の実現象限（２２０）の例において、代償の指示又は通知は、オンラインで送信され得るが、更新された宿泊設備が取得され、アップグレードした座席が飛行中に利用されるように、代償がオフラインでもたらされることを十分に理解されたい。
【００３４】
[0045]第３実現象限（２３０）は、オフラインで伝達される意向及びオフラインで送信される代償に対応している。この実現において、エージェントは、インターネット接続を使用するよりもむしろ一連のオフライン動作を介し意向を伝達する。典型的に、オフラインで伝達される意向は、暗黙的なタイプであって、エージェント動作をとり囲む情報が集められ、意向は、意向処理コンポーネント（１３５）を介し推論される。意向処理コンポーネント（１３５）が、エージェント動作から抽出する意向に関連する情報を収集し得ることを十分に理解されよう。様々な情報の段階が利用され得、エージェントの意向（例えば意向（１１５））を決定し得る。例えば、喫茶店のような業者のストアに入場するエージェント（例えばエージェント（１１０））の検出は、意向を伝達する低水準情報、すなわち、エージェントがストアに責任がある業者との取引に参加する意図があることを提供する。エージェントがストアに入ったという決定がエージェントに関連する情報を用いて補足され得ることを十分に理解されたい。エージェントが毎朝、喫茶店に入り、１杯のコーヒーを持って立ち去る場合、エージェントが朝、喫茶店に入った後に関連付けられる意向は、１杯のコーヒーを注文し購入するということが推論され得る。後者が、エージェントに帰する暗黙的な意向の表現から意図を抽出することを意向処理コンポーネントが学ぶことを経験し得るという基本的な学習の例であることに留意されたい。喫茶店を経営する業者が彼又は彼女の意向と引き換えに、代償するためのエージェントの意向を決定し、意向処理コンポーネント（例えばコンポーネント（１３５））を利用しているオフラインサービスプラットフォームであるとき、その後、エージェントが一旦、ストアに入るか又はそこで売られている商品を購入すると、業者は、割引（例えば代償）を発行し得る。
【００３５】
[0046]第４実現象限（２４０）は、オフラインで伝達される意向及びオンラインで送信される代償に対応している。この実現において、意向が実現象限（２３０）に関連し論述したように伝達され、代償が象限（２１０）に関連し論述した同一の方法によって実質的にオンラインで送信される。
【００３６】
[0047]図２Ｂは、意向処理コンポーネント（１３５）の例、及び関連する機能性の例のブロック図（２５０）を示している。意向処理コンポーネント（１３５）は、エージェント（１１０）から意向（１１５）を受信する。意向（１１５）が、サービスプラットフォーム（１２０）（例えば、業者、サービスプロバイダー、又はコンテンツプロバイダー）に参加している営利的意向に関連するエージェント（１１０）から受信された情報（２５５）から収集され得る。情報（２５５）は、通信リンク（１１８）を介し意向処理コンポーネント（１３５）によって受信される。上記示したように、通信リンク（１１８）は、実質的に有線の（例えば、Ｔｉ電話回線のようなＴ−キャリヤ、Ｅ１電話回線のようなＥ−キャリヤ、Ｔ１／Ｅ１キャリヤ、Ｔ１／Ｅ１／Ｊ１キャリヤ、ツイストペアリンク、光ファイバーなどの）通信リンク、又は無線の（例えば、ウルトラ・モバイル・ブロードバンド（ＵＭＢ）、ロング・ターム・エボリューション（ＬＴＥ）、ワイヤレス・フェディリティ（ワイファイ）、マイクロウェーブアクセス用ワイヤレス・インターオペラビリティ（ＷｉＭＡＸ）などの）通信リンク、又はその任意の組み合わせのどれかのタイプの通信リンクであり得る。加えると、情報（２５５）は、例えばエージェント（１１０）によって伝達される本質的か又は付随的であり得、意向処理コンポーネント（１３５）がサービスプラットフォームに対しエージェント（１１０）動作に関連する情報を収集する。情報（２５５）は、情報収集コンポーネント（２６３）によって受信される。付随的な情報（２５５）の場合、情報収集コンポーネント（２６３）は、ウェブカメラ、赤外線可視カメラ、特定の電磁波周波数を感知するＣＣＤカメラ、マイクロフォン、バイ生体認証パッド、生理センサー、測位システム（例えば、全地球測位システム（ＧＰＳ）、ガリレオ、ＧＬＯＮＡＳＳ）、及び収集された関連する情報を伝達し得る有線及び無線の送受信機のような様々な器具及び機器を有効に使用し得る。
【００３７】
[0048]エージェント動作のプライバシーのインテグリティを保証するプライバシーコンポーネント（２６６）が、エージェントの意向を抽出し収集され得る情報を規制する。態様において、プライバシーコンポーネント（２６６）は、エージェントによって確立されたプライバシーの設定に従って、エージェントのプライバシーを維持する。プライバシーコンポーネント（２６６）は、収集されたエージェント動作記録が、どのようにエージェントの情報ストア（２６９）内部にストアされるかも管理する。プライバシーコンポーネントの機能性が、より詳細に後述される。
【００３８】
[0049]収集したエージェント動作に関連するプライバシー規則又はポリシー互換の情報は、知的コンポーネント（２７２）によって利用され、エージェントの意向（１１５）を推論し得る。情報解析及び情報に関する特徴又はパターンのマイニングが、知的コンポーネントによって実装され得、意向を抽出する。加えると、知的コンポーネント（２７２）は、情報収集コンポーネント（２６３）によって収集される情報に従った意向の推論及びエージェント行動の解釈を容易にし得る補足データを利用し得る。行動に関する実験（単数又は複数）及びシミュレーション（単数又は複数）からのデータ、行動に関し影響する年齢層、及び関連する（例えば、別の背景を有するエージェントが別の動作を介し同一の意向を伝達する）意向などを含み得る補足データがデータストア（２７５）に常駐し得る。その上、補足データは、意向の実体処理及び抽出前に知的コンポーネント（２７２）によって生成されるデータを含み得る。知的コンポーネント（２７２）の動作が、より詳細に後述される。
【００３９】
[0050]図３Ａは、収集した情報（２５５）と、エージェント情報（例えばストレージ（２６９）のエージェント情報）と、意向処理コンポーネント（１３５）が利用可能な補足データ（２７５）と、に関する少なくとも一部に基づいて、エージェントの意向（１１５）に関する結論を理由付けるか又は導き得る知的コンポーネントの例（２７２）を示している。知的コンポーネント（２７２）は、人の介入のないサービスプラットフォーム（１２０）との取引参加における、特定のエージェントの意向状態の確率分布を生成し得る。エージェントの意向（１２０）を推論するための知的コンポーネント（２３５）は、人工知能手法に依存していて、高度な数学アルゴリズム、例えば決定木、ニューラルネットワーク、回帰解析、特徴に対する主成分解析（ＰＣＡ）、パターン抽出、クラスター解析、遺伝的アルゴリズム、及び強化学習をエージェント（１１０）に関連する一連の（プライバシーコンポーネント（２６６）で決定され得るような）利用可能な情報へ適用する。
【００４０】
[0051]具体的には、知的コンポーネント（２３５）は、例えば、隠れマルコフモデル（ＨＭＭ）及び関連典型的依存モデル、デンプスター−シェイファーネットワークなど、より一般的な確率的グラフモデル及びベイズモデルスコア、又は近似を使用した構造検索によって生成される例えば、ベイジアンネットワーク、サポートベクターマシン（ＳＶＭ）などの線形分類器、「ニューラルネットワーク」方法論、ファジー理論方法論として参照される方法などの非線形分類器、及び本明細書に記載した自動化された様々な態様の実装によるデータ融合を実行する別のアプローチなど、そのように組み立てられたデータから学習し、モデルからその後、推論を得るための多数の方法論のうち１つを使用し得る。
【００４１】
[0052]解析コンポーネント（３０４）が、エージェントの意向（１１５）を推論するための上記に列記したアルゴリズムの少なくとも一部を実行し得る。データマイニング（３０８）が更に、データ分割、エージェントの行動シミュレーション（単数又は複数）に関する開発モデル、及び関連する評価モデル（単数又は複数）を介し情報解析を支援し得る。
【００４２】
[0053]図３Ｂは、意向処理コンポーネント（１３５）の一部であり得るプライバシーコンポーネント（３１５）の例を示している。プライバシーコンポーネント（２６６）は、プライバシープロファイル（３２４）の確立を容易にするプライバシーエディター（３２２）を含み得る。プライバシーエディター（３２２）は、暗黙的な意向の表現（単数又は複数）に関するエージェント動作−例えば、映画館にアクセスし、映画館の売店から映画及び可能性のある消費製品を見るために立って並んでいるエージェントに関するもっともらしい意向に関連し、収集され得る情報に対し、所定のプライバシー水準を選ぶエージェント（例えばエージェント（１１０））を容易にする（示されていない）グラフィカルユーザーインターフェースを有効に使用し得る。プライバシーエディター（３２２）が、サービスプラットフォーム（１２０）によって維持保守されるウェブページを介し提供され得ることを十分に理解されよう。プライバシーエディター（３２２）は、非同期でエージェント（１１０）が所望する頻度でアクセスされ得ることを十分に理解されたい。加えるとエージェント（１１０）は、情報がエージェントの意向を決定するために収集される前に、彼又は彼女のプライバシープロファイル（３２４）を更新するようにプロンプトで促され得る。プライバシープロファイル（３２４）は更に、プライバシーインテグリティを保証するように暗号化され得る。エージェント（１１０）が、異なる例において又はサービスプラットフォーム（１２０）と提携した別の業者に関し収集され得る情報を確立するプライバシー設定を分類又は区分し得ることを十分に理解されたい。したがって、エージェント（１１０）は、別の業者、又はサービスプラットフォーム、情報の異なる収集度を許容し得る。
【００４３】
[0054]図４は、広告費の管理及び広告の送信を容易にする広告管理コンポーネント（１４５）の例を示している。例示のコンポーネント（１４５）は、広告費（１８５）を広告エンジン（１８０）から受信し管理する広告費管理コンポーネント（４２５）を含む。前述したように、受信した広告費（１８５）の一部が、サービスプラットフォーム（１２０）との取引参加においてエージェントの意向と引き換えに、エージェントの代償に向けられる。広告管理コンポーネント（１４５）は、（ｉ）エージェントに送信される広告コンテンツを調整し、（ｉｉ）エージェントによって利用される登録機器に従った広告形式に最適化する、最適化コンポーネント（４１５）も含む。かくして、特定の機器（例えば、限定された表示状態を有する機器又はナビゲーションシステムなどの制限された音声能力を有する機器）の媒体資源に従った広告形式に最適化することは、エージェントに機器が利用可能で最も豊かな広告体験を提供し、エージェントが広告に反応する可能性を増やすことを十分に理解されよう。
【００４４】
[0055]広告形式及び広告送信の最適化は、広告反応解析コンポーネントによって提供される入力に依存し得、特定のタイプの広告を用いて提示したときのエージェントに対する反応測定基準を監視し得る。例えば、エージェントが、広告が単に画像に基づいていることよりもむしろ提示した広告が年相応の音楽又は音声の指標を含むとき、広告が促す動作（例えば、調査に反応し、ウェブサイトのベータリリースへのリンクに従って商品を購入する）へより達成する傾向があるように決定され得る。別の例として、送信された製品又はサービスを宣伝する広告に映画スター、テレビスター、又はミュージックスターが現れたとき、広告の実体化に対しエージェントが、より好意的に反応することが測定され得る。更に別の例として、典型的にチェックアウト時、スーパーマーケットの出納係は、購入した商品に基づく特定の商品に対する紙クーポンを発行するが、顧客セグメントに対しては紙クーポンが別セグメントに対し有用であって、例えば、初期の利用者、ソフトウェア版クーポンは、クーポンを償却する可能性を増大し得、したがって対象技術革新の態様において、情報収集コンポーネントが、出納係において使用される一連のカメラ及びマイクロフォンを介し、情報を収集し得、解析コンポーネントが、特定の顧客層を有する顧客を識別し得る次の顧客層に対し最適化したクーポン形式が送信され、例えば、クーポンを印刷するための指示が出納係に伝達されるか又はクーポンが顧客の高機能携帯電話へ無線で伝達される。代償又は関連する広告、適合が、「１つの形式がすべてに適合する」従来のクーポンシステムに対し、（ａ）カスタマイズされ送信した代償の結果として、後天的な関与の可能性を増やし、（ｂ）クーポンの大きさは、購買中心の測定基準、例えば購入した特定の品目数に基づいて決定されるよりもむしろエージェント中心の方法で文脈的に調整され得る、少なくとも２つの利点を提供することを十分に理解されたい。
【００４５】
[0056]最適化コンポーネントが、広告コンテンツストア（４３５）に存在するコンテンツを利用し、新しい広告コンテンツを自動生成し得ることを十分に理解されよう。新しい広告コンテンツの生成は、広告反応解析コンポーネントによって提供される解析によって促進され得る。態様において、デジタル広告コンテンツの生成は、既存コンテンツのメタデータ適合性又はそのようなコンテンツのエディション（例えば、サウンドトラック、アイコン、画像の追加など）を有効に使用し得る。
【００４６】
[0057]広告管理コンポーネントは、意向−代償奨励金広告をエージェントに提供する広告表示コンポーネント（４４５）も含む。広告表示コンポーネント（４４５）を介し伝達される広告は、固定したオフラインポイント、又は実質的にエージェント（１１０）によって登録された任意の機器（１１２１〜１１２Ｎ）にレンダリングされ得る。表示された広告は、代償フラグ（例えば４４５Ｋ）又は正確な割引価格フラグ（例えば４４５Ｊ）を提示し得る。割引価格が、広告の提示対象の特有のエージェントの特性に適合され得ることを十分に理解されよう。広告は、レンダリングされる機器（例えば機器（１１２Ｎ））が利用可能か、又は意向−代償広告のオフライン表示するための広告「ドック」（例えば屋外の電子バナー）が利用可能か、媒体資源に従った複数の（例えば、画像ベースは（例えばバナー）、テキストベース、音声ベース、又はその組み合わせ）形式で伝達され得る。一実施形態において、広告表示コンポーネント（４４５）が使用され得、エージェント（１１０）がもはやサービスプラットフォーム（１２０）を利用しなくなった後、広告された代償をエージェント（１１０）に通知する。そのような実施形態において、広告表示コンポーネント（４４５）は、エージェント（１１０）に実質上、既に提示した広告を任意の機器（１１２１〜１１２Ｎ）へ伝達し得る。そのような実施形態は、新しい広告がエージェント（１１０）に反復提示され得る可能性を増やすことによってサービスプラットフォーム（１２０）へのユーザーへのロックインを増大させるので、サービスプラットフォーム及び広告主に対する価値を高める。
【００４７】
[0058]図５は、サービスプラットフォーム（例えばサービスプラットフォーム（１２０））との取引実行の際、エージェントの意向と引き換えに、エージェント（例えばエージェント（１１０））を代償するための広告費用を使用するシステム例（５００）のブロック図を示している。前述したように、代償は、典型的に、特定の広告イベント（例えば、広告の公開、広告の実体化、又は広告のクリックのような広告促進動作又は購入）に対する反応を介しもたらされる。システム（５００）において、サービスプラットフォーム（１２０）は、決定したエージェントの意向（１１５）に従って広告を広告エンジン（１８０）に表示するための対価（１８５）を受信する。態様において、広告エンジン（１８０）は、サービスプラットフォーム（１２０）又は仲介として広告サービスを利用する業者の一部であり得る。別の態様において、広告エンジン（１８０）は、サービスプラットフォーム（１２０）と一連の別の業者との間の広告仲介者であり得る。更に別の態様において、広告エンジン（１８０）は、サービスプラットフォーム（１５０）によって管理され得る不可欠な役割の部分であり得る。更にまた別の態様において、広告管理コンポーネント（１４５）は、広告費（１８５）を処理し、それを２つのストリームに分割する。通貨（１８５）の一部は、サービスプラットフォーム（１３０）に対する広告収入として保持されるか、又は収入アカウントに向けられる（示されていない）通貨（１８５）の残りの一部がエージェントの代償（１２５）に向けられる。前述したように代償金は、エージェント（例えばエージェント（１１０））に直接対価（５６０）を授与するために利用され得るか、エージェント又は（示されていない）提携したサービスプラットフォーム（１２０）に関連付けられ得るサービスプラットフォーム（１２０）の別のメーカー若しくはサービスプロバイダーを代償するために使用される商品及び製品へ資金供給され得る。エージェント（例えばエージェント（１１０））の直接的な対価を介する代償又は報奨ポイントの配分が、エージェントに属する代償アカウント（５３０）へ（通信リンク（１１８）を介し）送信され得る。単一のエージェント（１１０）が図（５００）に例示されているが、複数の顧客がエージェント（１１０）に含まれ得ることを十分に理解されたい。
【００４８】
[0059]前述したように、代償（１２５）は典型的に金銭価値を有していて、その結果、代償が適切に与えられ、計算され、記録されることを保証していて、代償コンポーネント（１６５）は、計算コンポーネント（５０５）、不正防止コンポーネント（５１５）、及び記録ストア（５２５）を含む。計算コンポーネント（５０５）は、代償を計算し、記録（単数又は複数）ストア（５２５）に代償記録を保持し、現在のエージェントに関する代償水準を監視し、例えば、代償が代償限界を超えないことを保証し得る。態様において、計算コンポーネント（５０５）は、代償コンポーネント（１６５）によって発行され、特定の代償イベントに関連するポイント（例えば、一般ポイント、報奨ポイント、又はマイクロソフト（登録商標）ポイントのようなプラットフォームの特定のポイント）の計算を実行し得る。更に、代償イベントが記録され得る。通常、代償記録は、エージェント（１１０）へ送信される代償のタイプ及び額を含み得、エージェント（１１０）上で利用可能な情報を増大し得る。送信された代償記録を保持することは、登録エージェントから生じ得る広告主との適格な代償されていない取引を請求する論争の解決を容易にする。論争の際、サービスプラットフォーム（１２０）は、未払い代償の請求を詳述しているエージェントへ直接還付するか、又は意向を基本とした取引監査を開始し、その真実性を確認するかどちらか一方である。
【００４９】
[0060]不正防止コンポーネント（５１５）は、不正な代償の使用を軽減し、代償記録インテグリティを維持するセキュリティ機能を管理する。不正防止コンポーネントは、例えばエージェント情報ストア（２６９）にストアされるエージェント情報、メモリー（４５５）にストアされるデータ、知的コンポーネント（２７２）、及び最適化コンポーネント（４１５）など、のような様々な資源を有効に使用し得る。その上、不正防止コンポーネント（５１５）は、意向されている顧客が実際に意図されている代償を受信したことを保証するための生体認証を基本とする検証を容易にし得る生体認証マーカー（例えば、声紋、傷跡認識、ほくろ、そばかす、目の色、及び虹彩構造のような顔面特徴認識など）の検出をオンライン及びオフラインの代償に実装し得る。不正防止コンポーネント（５１５）は、実質的に生体認証機能の精査に関連した（例えば、特徴認識用バイオカメラ、指紋採取パッド、虹彩読取機器など）機能性すべて、代償のオンライン暗号化又は復号化を提供し得るが、別のシステムコンポーネント（例えば意向処理コンポーネント（１３５））が利用可能な資源利用も有効使用され得る。
【００５０】
[0061]更に、不正防止コンポーネント（５１５）は、意向がエージェントをエミュレートする自動スクリプトの代わりに、正当なエージェント、例えばエージェント（１１０）によって、実際に伝達されていることを保証し得る。不正な意向の自動生成の軽減は、特に、意向がオンラインで伝達される（例えば象限（２１０）及び（２２０））における実現において関連し得る。意向を基本とした不正防止コンポーネント（５１５）はチューリングテストの変化を実装し得、偽のエージェントが意向（１１５）を伝達しているか否かを明察する考慮をすると、不正防止コンポーネントは、例えば、意向処理コンポーネント（１３５）によって収集された情報に基づいてコンポーネント（１３５）伝達され提出された関係のない広告を有する疑わしいエージェントを提示し得、不正防止コンポーネント（５１５）は、収集した専門情報に関連するクエリーを提出し得、予測されるその答えは、十分な信頼性を持って推論され、意向の自動化ソースは、高い確率で正しく解答することに失敗する傾向がある。別の態様において、不正防止コンポーネント（５１５）が、特定のエージェント（例えばエージェント（１１０））から着信する意向（例えば意向（１１５））又は関連する情報が特定の意向が例えば定期的に季節的（例えば、１日、１週間、１カ月のうち特定の時間）などに伝達されるパターンに従っているか否か決定し得る。
【００５１】
[0062]不正防止コンポーネント（５１５）は、不正があるように決定される反復的な意向に対し、送信される代償額を系統的に低減することによって不正な代償を軽減し得る。代償価格に対する軽減時間特性は、受信した意向の本質の違法性に対する信用度に従って決定され得る。
【００５２】
[0063]代償が、特定の期間中、エージェント（１１０）に動作をもたらす広告駆動動作に依存する例において、不正防止コンポーネント（５１５）は、固有にリンクされる（例えば（正の整数Ｎ）Ｎ−ビットキーを介し）トークンペアを生成し得、動作を要求しているエージェント（１１０）及び動作並びに関連する広告主を識別する。トークンペアは、広告促進の動作が一旦、達成され、続いてエージェントが代償（例えば代償（１２５））を送信していることと、認識することと、を容易にする。代償コンポーネントが、通信リンク（１１８）を介しエージェントの識別を伝達し得ることを十分に理解されたい。通知記録及び関連するトークンペアが、記録（単数又は複数）ストア（５２５）又はエージェントの情報メモリー（２６９）に保持され得る。
【００５３】
[0064]図６Ａは、サービスプラットフォーム（１２０）との取引の参加において、顧客の意向と引き換えに、顧客（６１０）を代償する（６００）である。システム（６００）において、意向（１１５）又はそれと関連する情報の伝達は、無線機器（６１５）を介し、オフラインドメイン（６０５）に位置する顧客（６１０）によって無線で伝達される。（サービスプラットフォーム（１２０）に常駐する情報収集コンポーネント（２６３）の一部であり得る）ノードＢ（６２０）は、特定の適用範囲領域の形が変化したとしても、典型的なヘキサゴナルサービスセルとして例示されるサービスセル（６０５）に対する無線通信適用範囲を提供する。無線機器（６１５）は、典型的に、サービスプラットフォーム（１２０）に登録コンポーネント（１２５）を介し登録される機器である。機器（例えば無線機器（６１５））がサービスプラットフォーム（例えばサービスプラットフォーム（１２０））に登録されていない場合、未登録機器を利用しサービスプラットフォームとの最初の取引に参加した時点で、機器登録が実行され得る。機器の登録情報は、エージェント情報ストア（２６９）にストアされ得、典型的に、機器が利用可能な媒体資源（例えば、実際の表示状態、音声機能、又はプライベートエリアネットワーク接続性）に対する広告及び代償の送信を最適化することを容易にする。交換時の代償に関連する広告の最適化は特に、広告が促進する動作（例えば、購入、業者ウェブサイトへのアクセスクリック、顧客センターへの電話又はテキストメッセージなど）に依存する代償に顧客をますますロックインさせ得る。その上、顧客（６１０）によって利用される無線機器の特性にかかわらず、送信されたコンテンツフェディリティを保証するコンテンツ並びに広告及び代償の形式を最適化することによって、サービス品質に関する後者の効率性が、従来の報奨システム又はクーポンシステムと比較し、本明細書に記載した革新的な意向−代償システムをより便宜的な状態にする。
【００５４】
[0065]サービスプラットフォーム（１２０）又は提携の無線電信サービスプロバイダーによって維持保守される基地局又はノードＢ（６２０）が、顧客の意向（１１５）（例えば明示的な意向の表現）又は関連情報（例えば暗黙的な意向の表現）を受信し得、無線リンク（６２５）を介し代償（１２５）を伝達し得る。ノードＢ（６２０）と機器（６１５）との間の通信は、様々な無線通信プロトコル（例えば、ＬＴＥ、ＵＭＢ、ＷｉＦｉ、ＷｉＭＡＸなど）に従って達成され得る。基地局（６２０）は、リンク（６１８）の一部が無線であり得ても、典型的に有線リンクである通信リンク（６１８）を介しサービスプラットフォーム（１２０）と通信し得る。例として、有線の（例えば、同軸ツイストペア、光ファイバー）リンク（６１８）は、逆送通信リンク（４８８）であり得、ＩＰベース及びパケットスイッチプロトコルを介し、ノードＢ（６２０）とサービスプラットフォーム（１２０）との間の通信を容易にする。
【００５５】
[0066]オフラインで提供される意向−代償奨励金システム（６００）の移動性は、顧客（６１０）が、サービスプラットフォーム（１２０）と提携され得、サービスプラットフォーム（１２０）によって発行される「ポイント」通貨（例えばマイクロソフト（登録商標）ポイント）又は代償ポイントを受け入れ得るオフライン場所において、報奨又は代償（１２５）で請求を可能にすることを十分に理解されよう。次に論述されるように本明細書に記載した動的で適応型の意向−代償奨励金モデルの態様は、無線通信を介し（例えば無線リンク（６２５）を介し）提供される移動性と結合されたとき、代償（１２５）を背景とする広告を介し、顧客（６１０）の消費習慣を促進するか又は偏った営利的な枠組みのサービスプラットフォーム（１２０）を動的に提供する。
【００５６】
[0067]別のオフライン代償の態様において、エージェントの明示的な意向の表現を装着可能な印（例えば、服の商標、本体の商標、乗り物の商標など）を介し伝達され得る。そのようなシナリオは、実現象限（オフライン、オフライン）（２３０）に属する。装着可能な意向−代償奨励金モデルにおいて、エージェント（例えばエージェント（１１０））は、（ａ）ユーザーを登録されたサービスプラットフォーム（１２０）の顧客としてラベリングする印、（ｂ）エージェント（例えばエージェント（１１０））が購入することに関心がある製品の画像、（ｃ）業者を代表する特定の広告、などを表示することによって明示的に意向を伝達する。意向処理（コンポーネント（１３５）の一部であり得、実際のスペース（例えばセル（６０５）内）に分散され得る）カメラ、マイクロフォン、及びその他の様々なセンサーが、エージェント（例えばエージェント（１１０））によって装着された印及びエージェントによって発声される（例えば聴覚表現（単数又は複数））コンテンツを取得し得、解析コンポーネント（例えばコンポーネント（３０４））は、エージェントに関連する生体認証機能（例えば、音声特徴、顔面構造、ボディータイプなど）を抽出し、その人を識別し得、識別が成功すると、エージェントは、エージェントによって作動される機器（例えば機器（６１５））へ直接伝達される代償報奨（例えば、直接対価、代償ポイント合計、特定のクーポン）を受信し得る。前述したように、装着可能な印が提供する信用度に基づくエージェントの意向が決定され、サービスプラットフォームが代償の大きさを決定する。
例として、説明文「安くて食物のおいしい味を望む」を有する服を着ているエージェントは、一旦、衣類が検出され、エージェントが識別されると、品質に関して知られている提供可能な食事を提示するレストランに関し、広告公開モデル内の代償に関するクーポンがその人のセルラー電話へ送信され得る。
【００５７】
[0068]（ａ）装着可能なカメラがエージェントの乗用車に設置され、画像が意向処理コンポーネント（１３５）へ伝達される印を介し、意向の表現を集める複数のシナリオが可能であることを十分に理解されよう。そのようなシナリオにおいて、エージェントは、特定のカメラ又はセンサーから着信する画像のソースとして明確に識別される。「錠屋を求む」のような印が、衣類又は帽子の上に明確に表示され得る。意向が明確に識別され、高水準の信用を用いた意向が決定されることを考慮するとき、代償は最も高品質であり得る。（ｂ）装着可能な印が業者のストア内部にキャプチャされる。特定の業者の、例えば喫茶店の店にいて、場合によって「カフェラテ愛好者」又は「うまいチョコレートありますか？」などの装着可能な印を有するエージェントの意向決定は信頼され得る。識別時、エージェントは、チェックアウトタイムにおいて、直接割引を受信し得る。（ｃ）エージェントが街路を散歩すると、サービスプラットフォーム（１２０）によって使用されるカメラが、装着可能な「朝食をとるための店を求む」のような印を捕獲する。このシナリオにおいて、決定した意向に関する信頼度は、エージェントが雑音の可能性があり得る画像及び音声解析を介し識別される必要があるために、より低い。印を伝達するために利用される衣類又はインクが、サービスプラットフォーム（１２０）によって使用されるＣＣＤカメラを介し検出され得る特定波長の光放射のような特定の光学的性質を有し得る（例えば、織物衣類は、特定の波長の蛍光を発する半導体量子ドットを用いて埋め込まれる）ことを十分に理解されよう。波長が電磁スペクトルの可視領域外にいる場合、より明示的でより豊富な表現がエージェントによって詳述され得る。
【００５８】
[0069]その上、明示的及び暗黙的な表現のオフライン収集は、完全な営利的に適応したストアを利用にし得、顧客によって商品に支払われる対価は、顧客が伝達し得る様々な意向の表現に依存し得る。例えば、エスニック料理通りまで歩いていて、スーパーマーケットストアの商品価格を比較しているスペイン語で会話するグループ顧客が検出され得、加えて顧客グループメンバーのうち少なくともひとりが、顧客の意向−代償奨励金を維持しているサービスプラットフォームのスペイン系登録会員であることが決定され得、従って前記グループメンバーがスペイン風の食事を準備するために必要な食材に関するクーポンをダウンロードするリンクを有する広告を彼女の高機能携帯電話において受信し得る。同様に、同じ通りのインド風料理を準備するために食材を検索している登録エージェントには、自らのＰＤＡへインド風料理に関するレシピが直接送信され得る。より一般的な例示的スーパーマーケットストアの態様において、顧客それぞれは、ストアにおいて使用される精査を介し検出され、表現した自らの意向に基づいて意向処理コンポーネント（１２０）へ伝達されるようにカスタマイズされた代償を受信し得る。
【００５９】
[0070]クーポン−価格順応ストアが実現象限（オンライン、オンライン）（２１０）において実現され得、代償及び関連する広告が、本明細書に記載した態様に従って、サービスプラットフォームへ伝達される明示的又は（ウェブ閲覧の習慣のような）暗黙的な意向の表現に基づいて送信され得ることが留意されよう。
【００６０】
[0071]図６Ｂは、意向（１１５）又は代償（１２５）のどちらか一方又は双方が、エージェントとエージェントとの対話を介しエージェントへ伝達されるシステム例（６５０）を示している。システム（６５０）はシステム（６００）と同様であって、実質的に同一の方法でそのようなシステム機能において同一の番号を有する同様の要素である。システム（６５０）において、登録機器（６１５）を作動している登録エージェント（６１０）が、意向（１１５）又は代償（１２５）のどちらか一方又は双方の機器（６６５）を作動しているエージェント（６６０）へ中継する。実質的にリンク（６１８）と同一の機能的特色を有する通信リンク（６７０）が、情報又は報奨（単数又は複数）のコンテンツ中継を容易にする。加えると、エージェント（６６０）の生体認証からの認識及びその少なくとも一部が、情報収集エージェント（６１０）によって実行される。情報又は報奨（単数又は複数）が登録エージェント／機器によって中継されるので、エージェント（６６０）も機器（６６５）もサービスプラットフォーム（１２０）に登録される必要はないことが留意されよう。通信は、典型的に、視覚及び聴覚の印の交換を必要としていて、エージェント（６１０）及びエージェント（６６０）並びに機器（６１５）及び機器（６６５）の任意の組み合わせの対による交換が仲介され得る。エージェントとエージェントとの対話が一連の２人のエージェント（例えばエージェント（６１０）及びエージェント（６６０））に例示されているが、対話が３人以上のエージェント間の中で確立され得ることを十分に理解されよう。
【００６１】
[0072]図７は、サービスプラットフォーム（７２０）によって実装される意向−代償奨励金スキームに位置調整された代償を介し、顧客消費を促進するシステム例（７００）を示している。システム例（７００）において、サービスプラットフォーム（７２０）が意向（７１５）を受信し代償（７２５）を送信する。サービスプラットフォーム（７２０）は、実質的に同一のサービスプラットフォーム（１２０）の機能性を有すると同時に、意向（７１５）が、実質的に意向（１１５）と同一の方法で決定され得、代償（７２５）が、実質的に代償（２２５）と同一の方法で生成され、管理され、授与される。意向（７１５）及び代償（７２５）が、通信リンク（７１８）を介し、それぞれ受信され伝達される。サービスプラットフォーム（７３０）によって作動され得る基地局（７３０）又は提携した無線サービスオペレーターが、無線リンク（７３４）を介し無線で意向を受信し、代償を伝達する。加えると、ノード（Ｂ７３０）は、サービスプラットフォーム（７２０）に特定の顧客と関係する一連の登録機器の検索を容易にする検索サービスを提供する全地球的航法衛星システム（ＧＮＳＳ）（７５６）と通信する。ＧＮＳＳ（７５６）は戸外で作動するが、ＧＮＳＳ（７５６）から受信される情報は、ノードＢ（７３０）及び別の付加的なアクセスポイント並びに顧客によって作動される（示されていない）機器に関する屋内の位置情報を生成するための（サービスプラットフォーム（７２０）内に常駐する（コンポーネント（２６３）のような）情報収集コンポーネントの一部であり得る）カメラによって生成される情報を用いて補足され得ることを十分に理解されよう。顧客が例えば、職場への通勤、親類への訪問、子供学校への付き添い、又は買い物をする際にサービス中のセル（７４０）内に移動した結果、サービスプラットフォーム（７２０）は、処理され得る顧客によって作動される登録機器へ伝達され得る位置に依存する広告位置（７５２１）、（７５２２）、及び（７５２１）それぞれの広告Ｌ１（７５５１）、広告Ｌ２（７５５２）、及び広告Ｌ３（７５５３）に反応し、複数の明示的及び暗黙的な意向の表現を収集し得る。広告（７５５１〜７５５３）が、競合の小売業者ストア（例えば（７５２２））に入場する顧客に反応し、関連する代償を運ぶ広告を顧客に提示することによって、顧客を特定の小売業者（例えば（７５２１））へ駆り立て得る。代替的又は付加的に、業者に関連する広告が、どちらかの競合の業者に駆り立てる顧客に反応し、ナビゲーションシステム（７５２４）において顧客へ表示され得る。その上、ナビゲーションシステム内の広告が、顧客のプログラムされた目的地の近くに位置する業者から発せられる代償を提示され得る。
【００６２】
[0073]そのような暗黙的な意向の表現を介し提示される代償は、信用度に依存している様々な値に調整され得、それを用いて意向（７１５）が、暗黙的な表現から抽出されることに留意されよう。推論した意向に対する信用度が、サービスプラットフォーム（７２０）において知的コンポーネントによって決定され得る。調整は、サービスプラットフォーム（７２０）内部に常駐する代償コンポーネントによって実行され得る。更に、様々な場所で顧客に提示される広告に対する適切なトーン及び代償を決定するための広告に対する顧客の反応が、サービスプラットフォーム（７２０）内部に常駐するコンポーネント（４２５）のような広告反応解析コンポーネントを介し精査され得る。したがって、十分に高い代償を用いてサービスプラットフォーム（７２０）によって推論され得る「スイートスポット」代償は、サービスプラットフォームと提携した業者又はサービスプロバイダーとの商取引に参加するように顧客を誘惑し得る。推論は、顧客から代償を提供している業者ストアまでの距離など、様々な決定基準に基づくことができ、代償に関連する広告が（例えば、ラッシュアワー、小さいトラフィック時間、平日昼間、又は夜間、週末の昼間又は夜間などの）時間に送信される。
【００６３】
[0074]上記に提示し記載したシステム例及び関連した態様を考慮すると、開示した対象項目に従って実装され得る、オンライン又はオフラインで伝達されるエージェントの意向と引き換えに、オンライン又はオフラインのどちらか一方でエージェントを代償するための方法論は図８〜１２の流れ図を参照すると、より十分に理解され得る。簡単に説明するための方法論が一連の動作として示され記載されているが、本請求の対象項目は、いくつかの動作が本明細書に示されて、記載したものと異なる順番及び／又は同時にそれから生じるような動作順序による別の動作に制限されないことを評価し十分に理解されよう。例えば、方法論が、状態図のような相関する一連の状況又はイベントとして代替的に表され得ることを当業者は理解し十分に評価されよう。その上、例示した動作のすべてが、請求対象項目に従う方法論を実装するために要求され得るわけではない。加えると、この明細書中、以下に開示した方法論が、そのような方法論を計算機への輸送及び送信することが容易になる製品上にストア可能であることを更に十分に理解されたい。
【００６４】
[0075]図８は、エージェントの営利的意向と引き換えに、エージェントを代償するための方法例（８００）を示している。通常、代償は、サービスを提供するか又は製品を取引するサービスプラットフォームによって提供される。サービス（単数又は複数）又は製品（単数又は複数）が、オンライン又はオフラインで送信され得る。同様に、エージェントの意向がオンライン又はオフラインで伝達され得、暗黙的又は明示的な表現又は動作から収集される。（図２は意向−代償実現をまとめている。）動作（８１０）において、エージェント及びエージェントが属する一連の機器が登録される。典型的に、登録は、エージェントが商取引を実行する予定のサービスプラットフォームと一体となっている。動作（８２０）において、エージェントによって提供される情報又はエージェント情報がストアされる。そのような情報が、特にエージェントの意向が暗黙的な意向の表現収集を介し推論される（例えば、映画館の線に立つか、又はレストランのロビーで待つスーパーマーケットストアの外での駐車など）状況における意向決定を容易にし得る。動作（８３０）において、エージェントの営利的意向が、エージェントに関連する収集された情報に関する少なくとも一部に基づいて抽出される。動作（８４０）において、エージェントの営利的意向に関する正当性の正確さの妥当性が確認される。妥当性確認の動作によって意向が不正を示しているとき、エージェントを登録したサービスプラットフォームが通知される。通常、その情報は、不法な意向に関連する更なる情報を収集するエージェントにフラグを付与するか又はサービスプラットフォームと将来関与するエージェントにペナルティーを課すために利用され得る。正当な意向が、エージェントの意向に関する少なくとも一部に基づいてエージェントの代償結果となる。動作（８７０）において、代償記録がストアされる。代償記録は、ユーザーに関する蓄積情報を増やし、代償に関連する逃した請求などを監査することを容易にする。
【００６５】
[0076]図９は、サービスプラットフォームとの取引において、エージェントの意向と引き換えに、広告を介しエージェントを代償するための方法例の流れ図を提示している。動作（９１０）において、代償（例えば、広告Ｊ（４４５Ｊ）又は広告Ｋ（４４５Ｋ））を運ぶ広告が伝達され、代償はエージェントの営利的意向に関する少なくとも一部に基づいている。一態様において、代償は、広告エンジン（例えば広告エンジン（１８０））によってもたらされる広告費を介し資金供給される。広告エンジンは、エージェントが商業的に対話する広告エンジンを管理し維持する広告代理店によって管理される広告主の集合体であり得るサービスプラットフォームの一部であり得るか、又はそれはコンテンツ、製品、又はサービスプラットフォームと提携したサービスプロバイダーの一部であり得る。広告代理店又は提携したプロバイダーのどちらか一方は、排他的なオフライン又は排他的なオンラインで営業活動を実行し得ることを十分に理解されたい。代替的又は追加的に広告主が、オンラインビジネス動作と関連付けられ得る。広告エンジンに関連する営業活動の本質にもかかわらず広告管理コンポーネントが、オンライン又はオフラインで広告を管理し得ることを十分に理解されよう。
【００６６】
[0077]動作（９２０）において、エージェントの動作が、伝達された広告に反応して決定される。広告は、代償（例えば、広告の動作を促進する代償モデル）を受信するための動作が必要であるエージェントを示し得る。代替として代償が、（例えば、エージェントは、広告へのリンクを公開し、広告を運ぶメッセージを公開し、「売り込み口上」広告に関する呼び出しなどを受信する）広告の公開又は広告の実体化を介し送信され得る。
【００６７】
[0078]動作（９３０）において、エージェントが広告モデルに従った代償に参加しているか否か決定するための動作（例えば、公開、実体化、動作）がチェックされる。動作（９４０）において、それに従ってエージェントが動作に失敗したとき、エージェントを登録したサービスプラットフォームが通知される。態様において、そのような情報の受信は、広告に提示される動作へのエージェントのロックインを促進する広告コンテンツ又は送信を調整又は最適化するサービスプラットフォームを提供する。動作（９５０）において、適格な動作を実行するエージェントは、直接対価（例えば、銀行口座への預金、年金口座、学資口座、クレジットカード口座、証券口座、大学／学校／保育園の授業料口座など）又は報奨ポイント、又はポイント通貨、デジタル商品若しくはコンテンツ、オフライン又はオンラインのストアのクーポンのような報奨トークンのどちらか一方を介し代償される。
【００６８】
[0079]図１０は、対象技術革新の態様による、広告をエージェントに提示し、エージェントの意向の返礼にエージェントの代償に資金供給するための方法例（１０００）の流れ図を提示している。動作（１０１０）において、広告を表示するための対価が受信される。通常、サービスプラットフォームが対価を受信する。サービスプラットフォームは、オンライン又はオフラインで商用的に作動することに制限されず、それは様々なサービス及び製品に関連付けられ得る提携コンテンツ（例えば、製品、サービス）プロバイダーを介し後者が達成され得る。動作（１０２０）において、広告コンテンツが受信される。広告コンテンツは広告製品である必要がない代わりに、コンテンツは、（１）広告キャンペーンに関する一連のガイドライン及び期待、(2)顧客人口及び関連分割、フォーカスグループ及び投票からの研究結果、ダイレクトメッセージングキャンペーン（例えば、ダイレクトメール、インスタントメッセージングメール）に関するモデル、及びリフト図などのような顧客情報、(3)音楽、画像、引用、スピーチの抜粋のように目標顧客をロックインする際、効果的であることが知られているエレメント、(4)案内人、準最適広告キャンペーンなど、であり得る。（１０３０）において、対価の一部が配分され、エージェントの意向に関する少なくとも一部に基づきエージェントを代償する。動作（１０４０）において、広告コンテンツが、（例えば、広告コンテンツストア（４３５）のようなメモリーコンポーネントに）ストアされる。態様において、ストアされた広告コンテンツが、例えば、最適化コンポーネント（４１５）を介し、広告キャンペーンのコンテンツ及び形式を最適化するために利用され得る。動作（１０５０）において、エージェントの意向に関連する広告が送信される。広告は、特定のエージェント又は特定のエージェントによって作動される機器に対し最適化された機能、対象とされる機能とともにオンライン又はオフラインで送信され得る。広告のカスタマイズは、エージェントに関する既存の情報（例えばエージェント情報（２６９）にストアされている情報）に基づいて自主的に達成され得る。
【００６９】
[0080]図１１は、本明細書に記載した態様による、広告を介し消費者行動を促進するための方法の例（１１００）の流れ図である。動作（１１１０）において、意向を基本とした代償に関連付けられている機器に対し最適化された広告を表示される。機器は、エージェントがサービスプラットフォームと（例えば、プラットフォーム（１２０）、プラットフォーム（７２０））と取引するために利用する登録機器であり得る。サービスプラットフォームは、エージェントに広告を提示し得、広告エンジン（例えば広告エンジン（１８０））から抽出され得る。広告が、有線又は無線の通信リンクを介し表示され得る。動作（１１２０）において、広告に対する反応が精査される。態様において、広告を表示する機器において使用されるセンサーが、広告を公開するエージェントの生理的変化、すなわち、目の動きのパターン、瞳孔拡大レベル、顔の表情、体温、及び発汗レベルの変化を決定し得る。そのような変化は、広告によって誘発される感情を反映し得、感情は、例えば、広告に表示されたリンクに従うように広告を実体化するか又は広告によって提示されている動作に参加し得るようにエージェントを導き得る。そのようなセンサーは、コンポーネント（４２５）のような広告反応解析コンポーネントの一部であり得る。（１１３０）において、広告が所望の反応をもたらしたか（例えば、取引が公開の結果として、広告を公開したエージェントによって実行されたか）否かチェックされる。肯定の場合、態様において、広告の公開は成功していて、再現（１１１０）によって付加的な広告インプレッションが続行され得る。否定の場合、動作（１１４０）において、広告の調整が適切か否か評価される。肯定的な場合、機器に最適化された広告コンテンツが調整される。調整の大きさは、広告反応コンポーネント（４２５）によって生成される解析に関する少なくとも一部に基づいて最適化コンポーネント（例えばコンポーネント（４１５））によって決定され得る。調整後、調整された広告が、再現（１１１０）によってエージェントに提示され得る。
【００７０】
[0081]図１２は、エージェントの意向及びエージェントの位置に関する少なくとも一部基づく広告エージェントへ順応して伝達するための方法（１２００）の例の流れ図である。態様において、広告の適合が達成され、エージェントの反応が偏り得るか又はエージェントを特定の消費行動に駆り立て得る。広告が、サービスプラットフォーム（例えばプラットフォーム（７２０））によって送信され得、サービスプラットフォームの一部か又はサービスプラットフォームの外部であり得る広告エンジン（エンジン７８０）によって、少なくとも一部を発し得る。動作（１２１０）において、エージェントの意向が抽出される。態様において、意向処理コンポーネント（例えばコンポーネント（１３５））を介し意向が抽出され、人工知能手法を有効に使用し得、明示的及び暗黙的な意向の表現並びにエージェントの文脈（例えば、位置、位置の特徴など）のような付帯的な情報を有効に使用し得る。抽出された意向は、典型的に、サービスプラットフォームとの取引と関連する営利的意向を反映している。
【００７１】
[0082]動作（１２２０）において、エージェントの位置が決定される。位置は、オフライン（例えば本当の空間位置）又はオンライン（例えば、ウェブ−ポータル、ウェブベースゲーム、チャットルーム、ブログ）であり得る。オフラインの位置が、エージェントによって作動される機器の位置を正確に指摘する検索サービスを介し決定され得、検索サービスは、ＧＰＳ、ガリレオ、又はＧＬＯＮＡＳＳのような全地球的航法衛星システムを含み得る。屋内の位置は、建物の内部で使用される無線アクセスポイントを介し決定され得、アクセスポイントは、無線サービスを機器に提供し、エージェントの意向の抽出を決定するサービスプラットフォーム又は提携したサービスプロバイダーを介し管理され得る。
【００７２】
[0083]動作（１２３０）において、広告が伝達され、広告が、抽出されたエージェントの意向及びエージェントの位置に関する少なくとも一部に基づく代償を伝達する。例えば、エージェントがオンラインでＭＭＯＧの再生中、任務を終了するために特定の村に達し、プレーヤーが見知らぬ領域の横断を試みている。ＭＭＯＧをホスティングしているサービスプラットフォームは、領域をマッピングするための地図が割引でダウンロードされ得るウェブページへのリンクを有する広告を表示し得る。プレーヤーが、リンクを訪問することによって、広告を実体化すると、その後、ＭＭＯＧに関連する付加的な広告が表示され得、プレーヤーは付加的な取引に参加し得る。
【００７３】
[0084]対象明細書の種々な態様に関する付加的な文脈を提供するための図１３及び図１４、及び以下の論述は、明細書の様々な態様が実装され得る計算環境（１３００）及び（１４００）の簡潔で一般的な適切な説明を提供するように意図されている。本明細書は、１つ以上の計算機上で実行し得る計算機実行可能命令に関する一般的な文脈で前述されているが、当業者は、本明細書が別のプログラムモジュールと組み合わせ、及び／又はハードウェアとソフトウェアとの組み合わせとして実装し得ることも認めよう。
【００７４】
[0085]一般にプログラムモジュールは、特定のタスクを実行するか又は特定の抽象データタイプを実装しているルーチン、プログラム、コンポーネント、データ構造などを含む。更に当業者は、本発明の方法が、単一プロセッサー又はマルチプロセッサーコンピューターシステム、ミニコンピューター、メインフレームコンピューター、及びパーソナルコンピューター、携帯用計算装置、マイクロプロセッサーを基本とした消費家電製品又はプログラマブル消費家電製品などを含む別の計算機システム構成を用いて実践され得るそれぞれが、１つ以上の関連する装置と作動可能に接続され得ることを理解されよう。
【００７５】
[0086]例示された本明細書の態様は、いくつかのタスクが、通信ネットワーク介し接続されているリモート処理装置によって実行される分散計算環境においても実施され得る。分散計算環境において、プログラムモジュールが、ローカルメモリー記憶装置及びリモートメモリー記憶装置双方に配置され得る。
【００７６】
[0087]計算機は、典型的に様々な計算機可読媒体を含む。計算機によってアクセスされ得る利用可能な計算機可読媒体は、任意の媒体であり得、揮発性媒体及び不揮発性媒体、取り外し可能媒体及び取り外し不可能媒体双方を含む。非限定的な例として、計算機可読媒体は、計算機記憶媒体及び通信媒体双方を含む。計算機記憶媒体は、計算機可読命令、データ構造、プログラムモジュール、又はその他のデータのような情報の記憶に関する任意の方法若しくは技術で実装されている揮発性媒体及び不揮発性媒体、並びに取り外し可能媒体及び媒体取り外し不可能媒体を含む。計算機記憶媒体は、ＲＡＭ、ＲＯＭ、ＥＥＰＲＯＭ、フラッシュメモリー、若しくはその他のメモリー技術、ＣＤ−ＲＯＭ、デジタル多用途ディスク（ＤＶＤ）、若しくはその他の光記憶機器、磁気カセット、磁気テープ、磁気ディスク記憶機器、若しくはその他の磁気記憶機器、又は所望した情報をストアするために利用され得、計算機によってアクセスされ得るその他任意の媒体、を含むがこれらに限定しない。
【００７７】
[0088]通信媒体は典型的に、搬送波又はその他の移送機構のような調節されたデータ信号の計算機可読命令、データ構造、プログラムモジュール、又はその他のデータを具体化し、いくつかの情報伝達媒体を含む。用語「変調データ信号」は、信号内の情報を符号化する方法によって設定された又は変更された１つ以上のその特性を有する信号を意味している。非限定的な例として、通信媒体は、有線ネットワーク又は直接有線接続のような有線媒体、及び音響、ＲＦ、赤外線、及びその他のワイヤレスメディアのような無線媒体などを含む。上記のうち任意の組み合わせも計算機可読媒体の範囲内に含まれる。
【００７８】
[0089]図１３は、本明細書に従った計算環境の概略ブロック図を示している。システム（１３００）は、１つ以上のクライアント（１３０２）を含む。クライアント（単数又は複数）（１３０２）は、ハードウェア及び／又はソフトウェア（例えば、スレッド、プロセス、計算装置）であり得る。クライアント（単数又は複数）（１３０２）は、例えば本仕様書を使用することによってクッキー及び／又は関連する文脈情報を収納し得る。
【００７９】
[0090]システム（１３００）は、１つ以上のサーバー（１３０４）も含む。サーバー（単数又は複数）（１３０４）もハードウェア及び／又はソフトウェア（例えば、スレッド、プロセス、計算装置）であり得る。サーバー（１３０４）は、例えば本明細書を使用することによって変換を実行するためのスレッドを格納し得る。クライアント（１３０２）とサーバー（１３０４）間の可能な一通信は、２つ以上の計算機プロセス間に送信されるように適合したデータパケット形式であり得る。データパケットが、例えばクッキー及び／又は関連する文脈情報を含み得る。システム（１３００）は、クライアント（単数又は複数）（１３０２）とサーバー（単数又は複数）（１３０４）間の通信を容易にするために使用され得る通信フレームワーク（１３０６）（例えば、インターネットなどのグローバル通信ネットワーク）を含む。
【００８０】
[0091]通信が（光ファイバーを含む）有線技術及び／又は無線技術を介し容易になり得る。クライアント（１３０２）は、クライアント（１３０２）にローカル情報（例えば、クッキー（単数又は複数）及び／又は関連する文脈情報）をストアするために使用され得る１つ以上のクライアントデータストア（１３０８）と作動可能に接続される。同様にサーバー（１３０４）が、ローカル情報をサーバー（１３０４）にストアするために使用され得る１つ以上のサーバーデータストア（１３１０）と作動可能に接続される。
【００８１】
[0092]図１４において、本明細書の様々な態様を実装するための環境の例（１４００）が計算機（１４０２）を含んでいて、計算機（１４０２）は、処理ユニット（１４０４）、システムメモリー（１４０６）、及びシステムバス（１４０８）を含む。システムバス（１４０８）が、システムメモリー（１４０６）を含むがこれに限定しないシステムコンポーネントを処理ユニット（１４０４）に接続する。処理ユニット（１４０４）は、商用利用可能な様々な任意のプロセッサーであり得る。デュアルマイクロプロセッサー及びその他のマルチプロセッサーアーキテクチャが、処理ユニット（１４０４）としても使用され得る。
【００８２】
[0093]システムバス（１４０８）は、更に、（メモリーコントローラーの有無に関わらず）メモリーバス、周辺機器用バス、及び様々な商用利用可能な任意のバスアーキテクチャを使用したローカルバスと相互接続し得るいくつかのタイプの任意のバス構造であり得る。システムメモリー（１４０６）は、読み出し専用メモリー（ＲＯＭ）（１４１０）及びランダムアクセスメモリー（ＲＡＭ）（１４１２）を含む。基本入力／出力システム（ＢＩＯＳ）がＲＯＭ、ＥＰＲＯＭ、ＥＥＰＲＯＭのような不揮発性メモリー（１４１０）にストアされていて、ＢＩＯＳは、始動中などに計算機（１４０２）内部のエレメント間の情報の送信支援をする基本ルーチンを含む。ＲＡＭ（１４１２）は、データをキャッシュするためのスタティックＲＡＭのような高速ＲＡＭも含み得る。
【００８３】
[0094]計算機（１４０２）は更に、内蔵ハードディスクドライブ（１４１４）が、（示されていない）適切な筐体の中に外付けの利用向けにも構成され得る内蔵ハードディスクドライブ（ＨＤＤ）（１４１４）（例えば、ＥＩＤＥ、ＳＡＴＡ）、（例えば取り外し可能ディスケット（１４１８）から読み出すか又はそれに書き込む）磁気フロッピー（登録商標）ディスクドライブ（ＦＤＤ）（１４１６）及び（例えばＣＤ−ＲＯＭディスク（１４２２）から読み出すか又はそれに書き込むＤＶＤのような別の大容量の光媒体から読み出すか又はそれに書き込むための）光ディスクドライブ（１４２０）を含む。ハードディスクドライブ（１４１４）、磁気ディスクドライブ（１４１６）、及び光ディスクドライブ（１４２０）は、ハードディスクドライブインターフェース（１４２４）、磁気ディスクドライブインターフェース（１４２６）、及び光ドライブインターフェース（１４２８）それぞれによって、システムバス（１４０８）に接続され得る。外付けドライブ実装用インターフェース（１４２４）は、ユニバーサルシリアルバス（ＵＳＢ）及びＩＥＥＥ１３９４インターフェース技術のうち少なくとも１つか又はその双方を含む。外付けドライブの別の接続技術は、本明細書の範囲内にある。
【００８４】
[0095]ドライブ及びそれらに関連した計算機記憶媒体が、不揮発性記憶装置のデータ、データ構造、計算機実行可能命令などを提供する。計算機（１４０２）用ドライブ及び媒体は、適切なデジタル形式の任意のデータストレージに適応している。上記計算機可読媒体の説明は、ＨＤＤ、取り外し可能な磁気ディスケット、及びＣＤ又はＤＶＤのような取り外し可能光媒体を参照しているが、ＺＩＰドライブ、磁気カセット、フラッシュメモリーカード、カートリッジその他のような別のタイプの可読媒体も例示的な動作環境において計算機によって使用され得、更に、そのような任意の媒体は、本明細書の方法を実装するための計算機実行可能命令を含み得ることが当業者によって十分に理解されよう。
【００８５】
[0096]オペレーティングシステム（１３３０）、１つ以上のアプリケーションプログラム（１４３２）、別のプログラムモジュール（１４３４）、及びプログラムデータ（１４３６）を含む多くのプログラムモジュールがドライブ及びＲＡＭ（１４１２）にストアされ得る。オペレーティングシステム、アプリケーション、モジュール、及び／又はデータすべて又は一部もＲＡＭ（１４１２）にキャッシュされ得る。本明細書が、様々な商用利用可能なオペレーティングシステム又はオペレーティングシステムの組み合わせを用いて実装され得ることを十分に理解され得よう。
【００８６】
[0097]ユーザーは、１つ以上の有線／無線の入力装置、例えばキーボード（１４３８）及びマウス（１４４０）のようなポインティング装置を介し、計算機（１４０２）にコマンド及び情報を入力し得る。その他の（示されていない）入力装置は、マイクロフォン、赤外線リモートコントロール、ジョイスティック、ゲームパッド、スタイラスペン、タッチスクリーンなどを含み得る。これらの入力装置及びその他の入力装置は、多くの場合、システムバス（１４０８）に接続される入力デバイスインターフェース（１４４２）を介し、処理ユニット（１４０４）に接続されるが、パラレルポート、ＩＥＥＥ１３９４シリアルポート、ゲームポート、ＵＳＢポート、赤外線インターフェースその他のような別のインターフェースによって接続され得る。
【００８７】
[0098]モニター（１４４４）又はその他のタイプの表示装置もビデオアダプター（１４４６）のようなインターフェースを介しシステムバス（１４０８）に接続される。モニター（１４４４）に加え、計算機は、典型的に、スピーカー、プリンターなどのようなその他の（示されていない）周囲出力機器を含む。
【００８８】
[0099]計算機（１４０２）は、リモートコンピューター（１４４８）のような１つ以上のリモートコンピューターと、有線通信及び／又は無線通信を介する論理接続を使用し、ネットワーク環境において作動し得る。リモートコンピューター（１４４８）は、ワークステーション、サーバーコンピューター、ルーター、パーソナルコンピューター、携帯用計算機、マイクロプロセッサーベースの娯楽機器、ピア装置、又はその他の一般的なネットワークノードであり得、通常、計算機（１４０２）に関連する前述したエレメントの多くか又はすべてを含むが、簡単化のためにメモリー／ストレージ（１４５０）だけが例示されている。示されている論理接続は、ローカルエリアネットワーク（ＬＡＮ）（１４５２）及び／又は更に大規模なネットワーク、例えば広域ネットワーク（ＷＡＮ）（１４５４）との有線接続／無線接続を含む。そのようなＬＡＮ及びＷＡＮネットワーク環境はオフィス及び会社において一般的であって、イントラネットのような企業規模計算機ネットワークを容易にし、そのすべてが、グローバル通信ネットワーク、例えばインターネットと接続し得る。
【００８９】
[00100]計算機（１４０２）がＬＡＮネットワーク接続環境において使用されるとき、有線通信及び／又は無線通信ネットワークインターフェース又はアダプター（１４５６）を介しローカルネットワーク（１４５２）に接続される。アダプター（１４５６）は、ＬＡＮ（１４５２）との有線通信又は無線通信を容易にし得、無線アダプター（１４５６）と通信するために、そこに配置される無線アクセスポイントも含み得る。
【００９０】
[0100]計算機（１４０２）は、ＷＡＮネットワーク環境において使用されるとき、モデム（１４５８）を含み得るか又はＷＡＮ（１４５４）上の通信サーバーに接続されるか、又はインターネットなどの方法でＷＡＮ（１４５４）を介した通信を確立するための別の手段を有する。内蔵又は外付けの有線又は無線装置であり得るモデム（１４５８）が、シリアルポートインターフェース（１４４２）を介しシステムバス（１４０８）に接続される。ネットワーク接続環境において、計算機（１４０２）又はその一部に関連し表示されているプログラムモジュールが、リモートメモリー／ストレージ（１４５０）にストアされ得る。示されているネットワーク接続が例示的であって、計算機間の通信リンクを確立するための別の手段が使用され得ることを十分理解されよう。
【００９１】
[0101]計算機（１4０２）は、無線通信を用いて作動的可能に配置される任意の無線装置又はエンティティ、例えば、プリンター、スキャナー、デスクトップ、及び／又は携帯用計算機、携帯用データアシスタント、通信衛星、任意の設備部品、又は無線で検出可能なタグに関連付けられている場所（例えばキオスク、新聞売店、トイレ）及び電話と作動可能に通信する。これは、少なくともワイファイ及びブルートゥース（登録商標）無線技術を含む。このように通信は、少なくとも２つの機器の間の従来のネットワーク又は単純なアドホック通信を有するような所定の構造であり得る。
【００９２】
[0102]無線ＬＡＮ又はワイヤレス・フェディリティは、自宅の寝椅子、ホテルルームのベッド、又は職場の会議室からインターネットへの無線接続を可能にする。無線ＬＡＮは、そのような例えば計算機装置が、屋内及び屋外、基地局の範囲内のどこにおいてもデータを送信及び受信可能な携帯電話において使用されるものと同様の無線技術である。無線ＬＡＮネットワークは、セキュアで信頼できる高速無線接続性を提供するためのＩＥＥＥ８０２．１１（ａ，ｂ，ｇなど）と呼ばれる無線通信技術を使用する。無線ＬＡＮネットワークは、計算機相互と、インターネットと、及び（ＩＥＥＥ８０２．３又はイーサネット（登録商標）を使用する）有線ネットワークと、を接続するために使用され得る。無線ＬＡＮネットワークは、認可不要の２．４及び５ギガヘルツ無線帯域の例えば１１Ｍｂｐｓ（８０２．１ｌａ）又は５４Ｍｂｐｓ（８０２．１１ｂ）のデータ信号送信速度で作動し、双方の帯域（デュアル帯域）を含む製品を用いたネットワークが、多くのオフィスにおいて使用される基本的な１０ＢａｓｅＴの有線のイーサネット（登録商標）ネットワークと同様の実世界の性能を提供し得る。
【００９３】
[0103]本明細書に記載した様々な態様又は特徴が、方法、装置、又は標準プログラミング及び／又はエンジニアリング技法を使用した製品として実装され得る。本明細書に使用される用語「製品」は、任意の計算機可読装置、キャリヤ、又は媒体からアクセス可能なコンピュータープログラムを包含するように意図されている。例えば、計算機可読媒体は、磁気記憶装置（例えば、ハードディスク、フロッピー（登録商標）ディスク、磁気ストリップなど）、光ディスク[例えば、コンパクトディスク（ＣＤ）、デジタル多用途ディスク（ＤＶＤ）など]、スマートカード、及びフラッシュメモリー装置（例えば、カード、スティック、キードライブなど）を含むがこれらに限定しない。
【００９４】
[0104]前述した内容は、本請求対象項目の例を含む。当然のこととして、本請求対象項目を説明するために考えられ得るあらゆるコンポーネント又は方法論の組み合わせを説明することは不可能であって、当業者は、本請求対象項目に関する更に多くの組み合わせ及び順列が有り得ることを認め得よう。したがって、本請求対象項目が、添付した請求項の趣旨及び範囲内に収まるような変更、修正及び変形すべてを包含するように意図されている。更に、用語「含む」、「有する」、「含んでいる」などが詳細説明又は請求項のどちらか一方において使用される範囲内において、そのような用語は、「構成する」が請求項において、遷移的な語句として使用されるときに解釈される用語「構成する」と同様の意味で、包括的であるように意図されている。
【符号の説明】
【００９５】
１００    システム
１１０    エージェント
１１２１  機器
１１２２  機器
１１２Ｎ  機器
１１５    エージェントの意向
１１８    通信リンク
１２０    サービスプラットフォーム
１２５    登録コンポーネント
１３５    意向処理コンポーネント
１４５    広告管理コンポーネント
１５５    資金
１６５    代償コンポーネント
１８０    広告エンジン
１８５    広告費
１９５    広告コンテンツ
２００    実現象限図
２１０    第１実現象限
２２０    第２実現象限
２３０    第３認識象限
２４０    第４実現象限
２５０    ブロック図
２５５    情報
２６３    情報収集コンポーネント
２６６    プライバシーコンポーネント
２６９    エージェント情報
２７２    知的コンポーネント
２７５    データストア
３００    システム例
３０４    解析コンポーネント
３０８    データマイニングコンポーネント
３１２    学習コンポーネント
３１５    プライバシーコンポーネント
３２０    システム例
３２２    プライバシーエディター
３２４    プライバシープロファイル
３２６    記録管理コンポーネント
４００    システム例
４０５    広告費管理コンポーネント
４１５    最適化コンポーネント
４２５    広告反応解析コンポーネント
４３５    広告コンテンツストア
４４５    広告表示コンポーネント
４４５Ｊ  広告Ｊの割引価格
４４５Ｋ  広告Ｋの割引フラグ
４５５    データストア
５００    システム例
５０５    計算コンポーネント
５１５    不正防止コンポーネント
５２５    記録（単数又は複数）ストア
６００    システム例
６０５    オフラインドメイン
６１０    顧客
６１５    無線機器
６１８    リンク
６２０    基地局
６２５    無線リンク
６６０    エージェント
６６５    機器
６７０    通信リンク
７００    システム例
７１５    意向
７１８    通信リンク
７２０    サービスプラットフォーム
７２５    代償
７３０    サービスプラットフォーム
７３０    ノード
７４０    セル
７５６    全地球的航法衛星システム（ＧＮＳＳ）
７８０    広告エンジン
７５２１  位置
７５２２  位置
７５２３  位置
７５２４  位置
７５５１  広告Ｌ１
７５５２  広告Ｌ２
７５５３  広告Ｌ３
７５５４  広告Ｌ４
１３００    計算環境
１３０２    クライアント（単数又は複数）
１３０４    サーバー（単数又は複数）
１３０６    通信フレームワーク
１３０８    クライアントデータストア（単数又は複数）
１３１０    サーバーデータストア（単数又は複数）
１４００    計算環境
１４０２    計算機
１４０４    処理ユニット
１４０６    システムメモリー
１４０８    システムバス
１４１０    読み出し専用メモリー（ＲＯＭ）
１４１２    ランダムアクセスメモリー（ＲＡＭ）
１４１４    内蔵ハードディスクドライブ（ＨＤＤ）
１４１６    磁気ディスクドライブ
１４１８    取り外し可能ディスク
１４２０    光ディスクドライブ
１４２２    ＣＤ−ＲＯＭディスク
１４２４    ハードディスクドライブインターフェース
１４２６    磁気ディスクドライブインターフェース
１４２８    光ドライブインターフェース
１４３０    オペレーティングシステム
１４３２    別のアプリケーションプログラム
１４３４    別のプログラムモジュール
１４３６    プログラムデータ
１４３８    キーボード
１４４０    マウス
１４４２    入力デバイスインターフェース
１４４４    モニター
１４４６    ビデオアダプター
１４４８    リモートコンピューター（単数又は複数）
１４５０    メモリー／記憶装置
１４５２    ローカルエリアネットワーク（ＬＡＮ）
１４５４    広域ネットワーク（ＷＡＮ）
１４５６    ネットワークアダプター
１４５８    モデム
【図１】
2011517819.tif 000003
【図２Ａ】
2011517819.tif 000004
【図２Ｂ】
2011517819.tif 000005
【図３】
2011517819.tif 000006
【図４】
2011517819.tif 000007
【図５】
2011517819.tif 000008
【図６】
2011517819.tif 000009
【図７】
2011517819.tif 000010
【図８】
2011517819.tif 000011
【図９】
2011517819.tif 000012
【図１０】
2011517819.tif 000013
【図１１】
2011517819.tif 000014
【手続補正書】
【提出日】平成23年2月4日(2011.2.4)
【手続補正１】
【補正対象書類名】図面
【補正対象項目名】全図
【補正方法】変更
【補正の内容】
【図１】
2011517819.tif 000015
【図２Ａ】
2011517819.tif 000016
【図２Ｂ】
2011517819.tif 000017
【図３Ａ】
2011517819.tif 000018
【図３Ｂ】
2011517819.tif 000019
【図４】
2011517819.tif 000020
【図５】
2011517819.tif 000021
【図６Ａ】
2011517819.tif 000022
【図６Ｂ】
2011517819.tif 000023
【図７】
2011517819.tif 000024
【図８】
2011517819.tif 000025
【図９】
2011517819.tif 000026
【図１０】
2011517819.tif 000027
【図１１】
2011517819.tif 000028
【図１２】
2011517819.tif 000029
【図１３】
2011517819.tif 000030
【図１４】
2011517819.tif 000031
【国際調査報告】
2011517819.tif 000032
2011517819.tif 000033